(57)【要約】  【解決手段】  有権者のモバイルデバイスから受信した投票を認証するシステムと方法であり、コンピューター解読可能の説明書とモバイルデバイスによりアクセスが出来、がコンピューターサーバー内に保存された耐久性のあるコンピューター可読媒体を読み取るデータベースのセットが含まれ、登録有権者とその有権者の郵便配達住所である地理的場所を含んだデータベースがワイヤレス・キャリア・ネットワークにて選挙の投票を受付し、セルタワーの三角測量点を含むワイヤレスのネットワークを介して投票する、デバイスの地理的位置を確認し、投票を受信したモバイルの地理的位置がデータベースに保存された登録有権者の地理的場所の範囲内でない場合に、その投票を拒否する方法。  【選択図】      なし
2013504101.tif 000002
【特許請求の範囲】
【請求項１】
インターネット上で電子投票のためにモバイルデバイスを認証するためのコンピュータ実施方法であって、
ａ． 選挙当局がアクセス権を持つコンピュータ・サーバーに格納されているデータベースに、選挙以前から、緯度と経度の座標を含む有権者の郵便配達の住所の地理的な位置を格納すること、
ｂ． 有権者とデバイスの地理的位置により、モバイルデバイスからのインターネット投票をコンピュータのサーバーで受信すると、モバイルデバイスの地理的な場所がセルタワーの三角測量点の位置情報（「Ａ−ＧＰＳ」や「アシスト型ＧＰＳ」）によって有権者の登録地理的な位置から所定の距離内にあるかどうかを決定すること、および
ｃ． モバイルデバイスの地理的な場所が、有権者の登録住所から所定距離内にない場合、インターネット投票を拒否することとを含むことを特徴とする方法。
【請求項２】
コンピューター・サーバーのメモリに格納されている緯度と経度の地理的な位置データと有権者の登録郵便配達の住所を相互参照することを含むことを特徴とする請求項１に記載の方法。
【請求項３】
前記デバイスの地理的な位置と有権者の登録位置間の距離を推定し、その推定距離が所定距離よりも遠い場合、デバイスの地理的な場所が、有権者の登録位置の経度と緯度の座標から所定の距離を超えているため、インターネット投票を受け入れられないとの意図のメッセージをモバイルデバイスに送信することを含むことを特徴とする請求項１に記載の方法。
【請求項４】
モバイルデバイスがインターネット経由でアクセス可能な投票・ソフトウェア・アプリケーション・プログラムとグローバル・ポジショニング・システム（ＧＰＳ）データセンシング受信機を含み、デバイスがＧＰＳ位置センサーデータを第一の送信ネットワークを介して、投票ソフトウェアプログラムのアプリケーションに通信し、位置情報を含めた総合的な投票情報を第一のサーバーに送り、第二のネットワークサーバー内において情報比較を行い、位置がＧＰＳデータ位置のアドレスであることを有権者の投票申し込みプログラムの規則と認可を選挙当局または他の選挙管理局により確認し、投票可能な日付と時間における規則と認可を含むデバイスから個人投票を処理することを含むことを特徴とする請求項１に記載の方法。
【請求項５】
郵便アドレスが物理的に選挙を投票する場所または選挙会場と同じアドレスであることができ、その場所というのは選挙当局により識別され、有権者が投票所に位置しながら、デバイスを使用して投票することを可能とする手段の元に許可されることを含むことを特徴とする請求項１に記載の方法。
【請求項６】
障害を持つ有権者を支援するために選挙当局により提供されたモバイルデバイスには次の要素のいずれかまたは複数が含まれることを特徴とする請求項１に記載の方法；デバイス上の投票プロセスを起動させる有権者のソフトウェア起動アプリケーション、データエントリのための触覚キーボード、デバイス画面に表示される投票用紙を音データのファイルに変換し、有権者に聞こえるように表示された投票内容を読み取る音データファイル変換ソフトウェアアプリケーション、有権者によって音声応答コマンドをキャプチャし、その方法で投票を入力する音声データファイル変換によりエントリーを確認する対応音声認識データ・エントリー・ソフトウェア・プログラム。
【請求項７】
サンプル有権者の投票や模擬選挙の投票プロセスは実際の投票イベントに先立って、モバイルデバイスでデバイスを試すために、ＷｅｂページのアドレスにアクセスしたＵＲＬをオンラインで提供され、それらのデバイスが投票処理に適しているかどうかを判断し、さらにデバイスにサンプルの投票プロセスを入力し、完了することを有権者に許可することを含むことを特徴とする請求項１に記載の方法。
【請求項８】
モバイルデバイスがカメラ機能を備え、そのカメラ機能を使用し、投票者の運転免許証、手書きの署名の文書、顔、パスポート、耐久性のあるコンピュータが読み取り可能な識別子媒体からなるグループから選択される認証画像のイメージが、選挙当局のコンピュータサーバーへデバイスによってキャプチャされ、送信されることを含むことを特徴とする請求項１に記載の方法。
【請求項９】
手書きの署名文書が、手書きの署名が含まれている運転免許証、国民ＩＤカード、選挙の投票不在者投票、または政府が発行したパスポートの耐久性に優れたコンピュータ読み取り可能な識別子の一つに過ぎないということを含むことを特徴とする請求項８に記載の方法。
【請求項１０】
モバイルデバイスとは、消費者向けモバイル携帯電話デバイス、スマートフォン、ポータブルコンピュータタブレットデバイスであり、ＷｉＭＡＸ、Ｗｉ−Ｆｉが、２Ｇ、３Ｇ、ＬＴＥ、ＣＤＭＡまたは  ＧＳＭ（登録商標）などのモバイルデバイスのデータキャリア伝送技術によりワイヤレスでインターネットに接続するということを含むことを特徴とする請求項１に記載の方法。
【請求項１１】
インターネット上で電子投票のためにモバイルデバイスを認証するためのコンピュータシステムであって、
ａ． 有権者登録モジュールは、コンピュータ実装されたサーバーによってアクセスされ、選挙前に経度と緯度の座標を含む有権者の郵便メール配信アドレスの地理的な位置をデータベースに保存され、
ｂ． 認証モジュールは（１）モバイルデバイスから有権者による投票を受信し、（２）モバイルデバイスの地理的位置を識別するモバイルデバイスのキャリアセルタワーの三角測量のデータから受信し、（３）モバイルデバイスの地理的な場所が、有権者の登録地理的な位置から所定の距離内にあるかどうかを判断し、（４）モバイルデバイスの地理的な場所が、有権者の登録住所から所定の距離内でない場合は拒否する、よう構成されていることとを含むことを特徴とする。
【請求項１２】
アプリケーション・プログラム・インターフェース（ＡＰＩ）データモジュールがモバイル・デバイスに保存されているか、または有権者の要求に応じてモバイル機器によるインターネット経由でアクセス可能なリモートサーバーに格納されていることを特徴とする請求項１１に記載のコンピューターシステム。
【請求項１３】
デバイス上で投票する基準データの収集、位置データの検証、投票の認証を可能とするように設定されたＳＩＭカードに、ダウンロードされた投票ソフトウェアアプリケーションが含まれており、ＳＩＭカードの識別モジュールを備えたことを特徴とする請求項１１に記載のコンピューターシステム。
【請求項１４】
さらに、ＳＩＭカードのメモリにクエリー・モジュールを備え、モバイルデバイスと
投票の回収・保存を可能にするためにマッチング計算データの登録住所の場所のデータを格納するリモート参照データベース・サーバーと通信するように設定されたクエリー・モジュールを含むことを特徴とする請求項１１に記載のコンピューターシステム。
【請求項１５】
認証モジュールがモバイルデバイスによって報告された地理的な場所と登録住所の地理的位置との間の半径方向距離を比較して、半径方向の距離が所定値を超える場合は投票を拒否するように構成されていることを特徴とする請求項１１に記載のコンピューターシステム。
【請求項１６】
電子株主議決権行使の認証を適応することを特徴とする請求項１１に記載のコンピューターシステム。
【請求項１７】
コンピュータサーバがさらに、インターネット上の有権者の連絡内容を含み、モバイルデバイスでの選挙の投票の選択オプションに関連して、クリック可能のインターネットリンクまたはビデオ・データ・ファイルを構成することを特徴とする請求項１１に記載のコンピューターシステム。
【請求項１８】
ＳＭＳやショートコードのメッセージ・データにより、モバイル通信デバイスへの有権者とポーリングデータを送受信することを含むよう適応することを特徴とする請求項１１に記載のコンピューターシステム。
【請求項１９】
有権者が消費者デバイスを登録し、モバイル・デバイスとコンピューター・サーバー・システム上で、広告スポンサーのメッセージを受信できるオプトイン許可登録を含み、広告を送信する選挙当局に請求する料金を計算し、メッセージ、投票と投票者のポーリングが選挙で、ポーリングまたは株主総会で広告スポンサーのメッセージへ応答することを特徴とする請求項１１に記載のコンピューターシステム。
【請求項２０】
電子的にモバイルデバイスの場所を認証し、報告することで、自動的に物理的な場所にチェックイン・登録する第一プロセスと、有権者のパスワードをモバイル・デバイスに、または、モバイルデバイスにより電子的に報告されたコンピューターシステムに入力するよう求めるという第二ステップを踏まえ、モバイルデバイスでの選挙投票以前に有権者を認証することを含むよう適応することを特徴とする請求項１１に記載のコンピューターシステム。
【発明の詳細な説明】
【技術分野】
【０００１】
このアプリケーションは２００９年９月１日出願された米国仮出願番号６１／２７５，６０３と、２００９年１２月１１日に出願した米国出願番号１２／６３５，８３７により優先権を主張し、それぞれ、その全体が参照により本明細書に組み込まれる。
【背景技術】
【０００２】
消費者は信頼できるオンラインバンキング送金やクレジットカードのアカウントでインターネットベースのサービスや商品を購入するために、携帯電話やポータブルコンピューティングデバイスなどのデバイスからインターネットを利用しています。アクセスを許可またはオンラインでの購入を完了するには、これらのプロセスは、パスワード、発信者ＩＤ技術と他の生体認証のセキュリティ機能を含む、様々な電子トークンや暗号化手段を使用しています。対照的に、公式の政府や他の選挙の投票プロセスにおける投票は、不正投票の軽減策とインターネットを使用して投票カウントする信頼性のある紙検証方法が欠如していたために、自動化された信頼度の高い同様な方法を満喫することができませんでした。
【０００３】
ローカルおよび国際的な政府や他の信頼できる選挙（例えば、株主の代理投票、取締役会の選挙、地域社会の問題や政策に関する投票、人気の選択プロセスのためのオンライン）の最先端は、主にオンラインで行うことができる有権者登録のためのアプリケーションに向けられていて、信頼性の高い、または信頼できる有権者の検証と認証データメソッドを使用してインターネット上でのオンライン投票ではない。むしろ、有権者は、署名を記録するためにインターネットによる方法とコンピュータのプリントアウトで登録し、有権者の身分を再認証し、再検証される物理的な投票場で投票するように指示されます。その時にして投票の選択と記録をするために、印刷された投票券が提示されるわけです。
【０００４】
現在の他のアプローチとしては、米国郵政公社メールで有権者のホームアドレスに配布し、有権者がオンラインで返せるように、普通の不在者投票を使用するということです。有権者が大体、Ｗｅｂサイトに行き不在者投票とカバーシートを含むファイルをダウンロードします。ファイルをプリントアウトした後、有権者はカバーシート（名前やその他の署名、認証情報）と不在者投票を記入します。カバーシートと投票をスキャンし、ウェブサイトにスキャンした書類をアップロード、またはファクスなどにより投票用紙を送ります。選挙当局または認可当局や個人が、収集したファイルを印刷し、普通の不在者投票のプリントアウトのように扱います。
【０００５】
多くはこれらの先行技術のシステムのセキュリティを批判している。従来の技術での空白投票用紙の配布が十分に安全ではなく、普通のコンピュータとブラウザから記入された投票用紙が送り戻される際、認証とセキュリティのリスクが掲げられるからです。整合性と認証の問題があり、ここで誤った方向へ行くことがあるでしょう：攻撃者が有権者のコンピュータを破壊する可能性があり、送信する前に投票用紙を変更している、フィッシング詐欺にあい、ホストコンピューターにそれを渡す前に、フィッシング詐欺者は適切に投票を変更する。最後に、攻撃者はホストコンピューターのデータベースサーバーを破壊し、プリントアウトされる前に投票用紙を変更することができます。現在の従来の方法では、消費者のデバイスを使用して処理した投票を受け付けることができるように、データの認証および検証手段として、有権者の地理的な場所の物理的な郵便配布の住所を確認または認証するための投票プロセスを選挙当局または他の選挙管理局に提供していない。先行技術のさらなる改善を補助する方法としては、消費者のデバイスから報告された地理データの信頼性が高く、任意の広範な規模の攻撃や「なりすまし」に強いと考えることができるという事実である。消費者がに個人の消費者のデバイスへ簡単に開いたり変更するといったアクセスができないためです。さらに、各デバイスには、デバイスにこれらと他のＳＩＭカードのＩＤ要素にアクセスするための通常のパスワード認証の要件が含まれていて、それらを組み合わせると、投票用のデバイスの位置データの語弊を招かせるといった目的で、消費者向けデバイスに不正なＧＰＳドライバをインストールするカジュアルなハッカーを避けるためは十分であるといえるのです。
【０００６】
現在の技術では、現在の紙ベースの記入する投票の選挙システムに重大な影響を及ぼすインターネットのツールを使用しますが、投票の時にセルタワーの三角測量点の位置情報データのメソッドを使用し、インターネット上でコンピューターサーバーへ収集され、送信された、他の有権者の身元と、モバイルセンサーＡＰＩデバイスのセンサーデータと、消費者デバイスによって報告されたデータを保存し、集めるといった方法はインターネット投票システムや方法といった意味で、データの認証および検証方法としては、未知の物となっていました。
【０００７】
トルステンらによる米国公開番号２００５／０１０１３０７は投票を実行する方法と同様に、投票サーバ、携帯端末および投票のために使用されるコンピュータプログラム製品を開示しています。投票サーバーは、特定の投票項目と特定の署名者に関連付けられたの固有のトランズアクション番号を生み出します。特定の署名者の携帯端末に特定の選挙項目と一緒に固有なトランズアクション番号を送信します。携帯端末は、トランズアクション番号と携帯端末の署名者に関連付けられた固有の識別番号と一緒に投票を含む応答を送り返します。投票サーバーは受信したトランズアクション番号と受信した識別番号を保存された値と比較し、その比較が正しければ、返答にある投票を受け付けます。携帯端末が投票サーバーからの投票項目を受信し、ユーザの認証ベースのプロセスを実行する際に、アプリケーションはＳＩＭカードのアプリケーションを表示します。
【０００８】
カードンによるで米国公開番号２００９／００７２０３２は、前記選挙当局の制御の下で信頼できる電子投票システムを実行するための装置を以下を含め、開示しています。ａ．少なくとも一つの電子投票機と、ｂ．電子投票システムにおける投票機のための選挙構成、ｃ．電子投票システムにおける投票機のための信頼できるコンピューティング・プラットフォーム。Ｃｏｒｄｏｎｅが信頼できる投票プラットフォームを提示しますが、そのようなプラットフォームは、投票所での投票に基づいており、消費者のモバイルデバイスでの投票の利点と改善点を開示していません。
【０００９】
Ｈａｍｍａｄによる米国公開番号２００９／０１８７４９２は、携帯電話のＧＰＳ機能は、インターネット選挙の投票環境の外での認証にいかに使用されているかを示しています。ハマドの発明は、商人でトランズアクションを行うために使用される携帯消費者デバイスを認証するようとされている。携帯消費者・デバイスは、少なくとも２つの異なる情報源から来た場所データに基づいて認証されます。たとえば、最初の位置情報は、消費者が保有するモバイル通信装置から受信することができ、第二の位置情報は取引を行う商人が運営するＰＯＳ端末から受信することができます。最初の位置情報と第２位置情報が互いに対応する（それらが一致する）場合は、サーバーコンピュータは、金融、クレジットカードの支払取引を認証することも可能です。Ｈａｍｍａｄの方法は、選挙前に、経度と緯度の座標で構成されており、コンピューター・サーバー内の結果の登録データを保存している有権者の郵便配布の住所の地理的な場所の登録を開示していない。さらに、投票システムおよび方法を教示しておらず、代わりに金融取引の処理方法をターゲットとしています。代わりに、Ｈａｍｍａｄ２００９／０１８７４９２は、認証するためにモバイルデバイスのＧＰＳ機能を使って説明していますが、売却取引の際にデバイスが使用されるときは、モバイルデバイスは、多かれ少なかれ、ＰＯＳ（販売時点情報管理）端末と同じ場所になければなりません。それはトランズアクションを遂行するためにモバイルデバイスが地理的にあるべきところにあるとの確認が教示されていると知られています。売買の代わりに郵便配達住所によって確認されたインターネットベースのモバイル投票トランズアクションに関する本発明は非自明性であり、予期しない結果を生み出します。本出願はまた、選挙前に有権者の住所の地理的位置の登録を必要とする点で異なります。Ｈａｍｍａｄのトランズアクションがモバイルデバイス所有者の自宅またはコンピュータ・サーバ・システム上に登録されている郵便住所で行われていないので、Ｈａｍｍａｄの発明は事前登録を必要としません。
【００１０】
Ｖａｒｇｕｓによる米国公開番号２００９／０１４９１９２は、デバイスを紛失したときに、デバイス検索サービスが通信し、ＧＰＳ位置信号を発し、デバイスを無効にし、見つけるといった、モバイルデバイスを検索・遠隔管理できる携帯電話のＧＰＳ機能を使うとするデバイス検索サービスを教示している。
【００１１】
携帯電話のデバイスを使用してインターネット投票は、以前にエストニア共和国、北ヨーロッパの国で議論されています。２００７年、エストニアは国民議会選挙で有権者がインターネット上で投票をできることが可能になった世界初の国になりました。投票するには、エストニア人がコンピュータに接続されているとリーダーの上に、電子チップ内臓のＩＤカードを置き、２つのパスワードを入力します。投票は、セキュリティのために暗号化され、選挙日に「秘密鍵」を使用して、国政選挙委員会により開けられます。エストニアの方法は他国では採用されていない理由としては、ＳＩＭカードは携帯電話のネットワークキャリアによって制御されており、限られたＷｅｂサービスの処理機能があるという事実であり、認証のためにＳＩＭカードの排他的に使用するにあたり、特定の問題があるからです。
【００１２】
携帯電話やスマートフォンなどの消費者デバイスを使用する他の多くの先行技術と認証技術は、通常、消費者が地元のケーブル会社に電話をして問い合わせをしたり、料金の支払いをする際に、自宅の電話番号やその他のバイオメトリックデータの機能が発信者のＩＤ機能として適用されます。このような自動化されたシステムは、ケーブル会社の発信者ＩＤメソッドによって保存された電話機により送信された電話番号に基づき、その電話番号の個人アカウントからの電話であると自動的に認知します。
【００１３】
同様に、郵便で送られてきた新しいクレジットカードは、多くの場合、カード発行会社のデータベース内の記録されている自宅の電話番号から電話をし、有効にする必要があります。これらの方法では、虚偽的、または詐欺的な認証方法で、発信者ＩＤ機能に示されている識別番号を別の番号へ変更することが比較的可能性であります。発信者ＩＤのメソッドは、モバイルデバイスの投票認証に適用されたときに特定の欠点があるのです。たとえば、すべてのモバイルデバイスは、受信者が発信者識別を許可しないことがあり、第二に、有権者は、複数のモバイルデバイスを持っている可能性があり、投票システムが各デバイスを認識することとなるので、それぞれの電話番号を登録しなければなりません。
【００１４】
現在の発信者ＩＤのメソッドとは対照的に、デバイスのユーザーが全てのＧＰＳデータのセンサーを無効にせずにＧＰＳデータの座標伝送プロセスを変更し、そのＧＰＳデータセンサーがクラインによる現方法を作動不可能にさせるといったメソッドは見つかっていません。したがって、インターネットを介して他のＩＤデータと一緒にセルタワーの三角測量地の位置情報データを測定・報告するという最新の消費者向けデバイスの能力における最近の技術の成果がはるかに信頼できる方法を作り出し、事前登録郵便住所データの距離の範囲に一致する緯度と経度のデータを有する消費者デバイスによる投票プロセスが新規で予期しない投票方法を機能させるようになるのです。
【発明の概要】
【課題を解決するための手段】
【００１５】
前記携帯電話ネットワークまたは類似した無線通信装置のネットワークを介して携帯電話などのモバイルデバイスを使用し、選挙当局がコンピューターシステムを使用して、投票を受付、認証、勘定をし、有権者により選挙を行うに当たり、有権者の認証方法およびシステムの改善を目的とし、以下を含む、インターネット上電子投票のためモバイルデバイスを認証するコンピュータ実装方法を発見しました。
ａ． 選挙当局がアクセス権を持つコンピュータ・サーバーに格納されているデータベースに、選挙以前から、緯度と経度の座標を含む有権者の郵便配達の住所の地理的な位置を保存すること、
ｂ． 有権者とデバイスの地理的位置により、モバイルデバイスからのインターネット投票をコンピュータのサーバーで受信すると、モバイルデバイスの地理的な場所がセルタワーの三角測量点の位置情報（「Ａ−ＧＰＳ」や「アシスト型ＧＰＳ」）によって有権者の登録地理的な位置から所定の距離内にあるかどうかを決定すること、および
ｃ． モバイルデバイスの地理的な場所が、有権者の登録住所から所定距離内にない場合、インターネット投票を拒否すること。
【００１６】
別の見地として、本発明は、コンピュータ可読説明書とコンピュータ可読媒体に保存されているデータベースのセットを内臓されたコンピュータが含まれた有権者のモバイルデバイスから受信した投票を認証するコンピューターシステムを備え、登録有権者と有権者の地理的な場所が含まれたデータベース、携帯や、ワイヤレスネットワーク上の選挙投票を受付ける手段、そして、ネットワークにより投票したデバイスの地理的な位置を推定する手段、投票したデバイスの地理的な場所が、データベースに保存された有権者の登録位置から所定の距離を超えている場合にその投票を拒否する手段が含まれてします。
【００１７】
認証と検証の手法を組み合わせて、補助的で自動的な認証データの保存と、消費者のデバイスにアップロード、ダウンロードされるインターネット上でアクセス可能な投票プロセスアプリケーションを備えた、受信機を感知・報告するセルタワーの三角位置点データのおかげで、ワイヤレス、消費者デバイスによって送信されると、改善され、より便利で、信頼性の高い投票方法を作成することができました。
このコンピュータ読み取り可能なデータは、インターネット投票をするためにインターネット接続された消費者デバイスを使用して、個々の有権者による投票とその一環の投票をよりよく認証するために、サーバー内にデータを保存し比較することができる、コンピュータ・サーバーへのデバイスにより送信されることとなります。
【００１８】
本発明の実施態様は、セルタワーの三角測量のデータ通信機能と投票システム状況をコンピューターサーバーデータベースを投票システムで比較することにより、インターネット経由で投票を実施するために使用するポータブル消費者デバイスと個々の有権者を認証し、検証することに向けられています。ポータブル消費者デバイスは２つの異なる情報源から来た場所データに基づいて認証されます。例えば、最初の位置情報は、消費者が保有するモバイル通信装置から受信することができ、第二の位置情報は投票プロセスと結果の集計を行う選挙当局が運営する有権者登録データベースから受信されることがあります。最初の位置情報と第２位置情報が互いに対応する（それらが一致する）場合は、サーバーコンピュータは、投票を認証することも可能です。いくつかの実施形態では、移動通信装置は、ポータブル・消費者・デバイスであってもよく、他の実施形態では、移動通信装置は、ポータブル・消費者・デバイスのものとは別のものかもしれません。例えば、ポータブル消費者デバイスは、デバイスを使用した投票のための有権者認証とソフトウェア処理アプリケーションを提供する、ポータブル・消費者・デバイスをに挿入可能なＳＩＭカードモジュールであるかもしれません。
【図面の簡単な説明】
【００１９】
【図１】図１は、インターネット投票方法の先行技術の説明図である。
【図２】図２は、消費者のデバイスのデータセンサー、コンピュータサーバーおよび消費者のワイヤレスデバイスのロケーション機能に準じた本発明の投票方法の実施形態のブロック図である。
【図３】図３は、投票の認証方法を有効にして、一般的な有権者には消費者インターネット対応デバイスメソッドを提供し、特に障害を持つ有権者をサポートするために、コンピュータに内蔵する決まった役割を提供するために、ワイヤレス消費者通信装置によって実行されるさまざまなデバイスの決まった役割を示すブロック図である。
【図４】図４は、移動通信装置の認証と、本発明の実施形態による態様によれば実行することができて、消費者デバイスを使用し、個々の有権者によって報告されたＧＰＳ情報に基づく投票プロセスを拒否するロケーション・ベースの認証方式を示すフロー図である。デバイスのセルタワー地理的場所を識別し、デバイス上で投票アプリケーションを開始した後、投票を認証または拒否ができるように一致するリモートコンピュータのデータサーバに登録され、格納されている特定の郵便住所にある消費者デバイスと有権者を認証することによって、従来技術から区別するデバイスの図である。
【図５】図５は、画像キャプチャカメラのセンサーデータを使用して、投票の認証とプロセスを可能にするコンピュータのデータ認証装置として使用することができ、モバイルデバイスとインターネットブラウザの画面から取得したウェブページの画像との組み合わせて、印刷または画面上に表示された耐久性のあるコンピュータ可読媒体での投票を処理することができる移動通信装置の一部のコンポーネントのブロック図を示す。
【図６】図６は、本発明の様々な実装による、モバイルデバイスにある、様々なＳＩＭカードのデータモジュールのアプリケーション・モジュールの典型的な実例図である。
【図７】図７は、本実施形態の下において、モバイル・消費者・デバイス内のイメージキャプチャアプリケーションを使用して、インターネット投票で使用するためにＭｉｃｒｏｓｏｆｔ．ＲＴＭタグをスキャンするように設定された消費者デバイスを示しています。
【図８】図８は、耐久性のあるコンピュータで可読な識別子であるＭｉｃｒｏｓｏｆｔ．ＲＴＭタグの画像キャプチャと、本実施形態でのタグの画像は、キャプチャおよび無線伝送用のＰＣ画面に表示されるＰＣベースのアプリケーションのネットワーク結合を介して消費者向けデバイスとサーバー間の認識処理をサポートする方法が示されたブロック図。
【図９】図９は、実施の形態の下で、インターネットやモバイルデバイス上のインタラクティブな投票アプリケーションで処理のためのサーバーへのＭｉｃｒｏｓｏｆｔ．ＲＴＭタグの伝送を示しています。
【図１０】図１０は、投票実施形態の下で、インターネットやモバイルデバイス上のインタラクティブな投票アプリケーションでデコードされたＭｉｃｒｏｓｏｆｔ．ＲＴＭタグを介しＵＲＬへ接続することを示しでいる。
【図１１】図１１は、近接場通信（「ＮＦＣ」）タグまたはラベルの形で耐久性のあるコンピュータで可読識別子を読み取るために使用され、消費者向けデバイスの代替データセンサーコンポーネントのブロック図を示します。
【発明を実施するための形態】
【００２０】
図１は、選挙当局または管理者１０８が、Ｗｅｂファイルに有権者の投票をオンラインで提供する先行技術１００の方法を示しています。ファイルは頻繁にインターネット１０２を介してプリントアウト用のＰＤＦファイルとしてＷｅｂのＵＲＬや他のダウンロードＷｅｂサイトから有権者により供給されます。通常、ＰＣのコンピュータ装置は、先行技術の投票配信の好ましい方法である。しかし、それはインターネット上で、消費者の装置上５０にこれと同じＰＤＦ有権者の投票ファイル１０９を提供することが可能です。オプションとして、フォームがダウンロードされるか、またはデバイスのブラウザベースの表示画面上５２の消費者装置５０からアクセスできます。個々の有権者１４が限られた認証技術を有するデバイスを使用して投票用紙１５にデータを入力し、または印刷し、記入した投票用紙を手書きの署名を含め郵便サービスを使って、郵送し返すか、またはコンピュータのプリンタデバイスに印刷した場合には選挙会場に持っていくか、預けることができます。
【００２１】
図２はデバイスの位置に基づいてワイヤレス消費者デバイスの有権者が選択を行うための本発明の方法５０の高レベルの回路図の概要を示します。したがって、システムはワイヤレスデバイス５２内蔵型である可能性もあり、メソッドは更にリモートコンピュータとワイヤレスネットワーク１８を介してワイヤレスデバイスとの通信しているデータベースサーバー５４からネットワークアプリケーションＡＰＩソフトウェアを含められる。ネットワーク・データベース・サーバ装置５４は、アプリケーション２０ソフトウェアの実行を選択した有権者の情報源としてシステム５０に含まれていてもよく、または、これらの面での利用者のコンテンツ要求８、ネットワーク装置５４は、請求されたコンテンツ３２の情報源として機能するかもしれない。また、ネットワーク装置５４は、郵便局のＧＰＳアドレス座標と比較することで、ワイヤレスデバイスの位置の決定をサポートするために使用することができます。このような座標は、デバイス５２上のプロセスを投票権の認証のために許容されるアドレスとして選挙当局または管理者によって入力された郵便住所、または他の住所を含めサーバ５４に格納されています。
【００２２】
図１に関連した説明形勢に似ており、ワイヤレスデバイス５２は、有権者１４によって投票や選択内容を提供する有権者の投票への複数のアクセスアプリケーションのいずれかを内蔵しています。この点では、複数アプリケーションの有権者の投票内容２２を完了するか、または提出１以上の有権者の実行アプリケーション２０が含まれる場合があります。
【００２３】
さらに、ワイヤレスデバイス５２に実装された複数のアプリケーションはリクエストへの応答でユーザが入力した投票のリクエスト３０、または代替耐久性に優れたコンピュータ可読ネットワークコンテンツ３２を提供する有権者リクエストアプリケーション２８を含めることができます。さらに、電子的にアクティブ画素センサカメラ２６またはＭｉｃｒｏｓｏｆｔ．ＴＭタグおよび／またはＮＦＣタグ（ｓ）からデータを読み取り、そのデータセンサーから耐久性のあるコンピュータで可読コンテンツ、リクエスト元のアプリケーション２８に、耐久性に富み、発明の投票プロセス５０のコンピュータ可読媒体として、コンテンツ３２は提示される。
【００２４】
さらに、ワイヤレスデバイス５２は、その地理的位置を推定するために操作可能な位置推定モジュール３８が含まれる場合があります。位置推定モジュール３８は、衛星ベースの位置推定１９０、地上またはネットワークベースの位置推定や衛星放送と地上波ベースの位置決推定両方を含むハイブリッドな位置推定のため備えている場合があります。
【００２５】
本発明５０の実施によれば、適切な消費者装置５２は、図２のスマートフォンに示されるようにテキストベースの郵便サービスのメールの住所を取得し、そのリモートコンピュータのデータベースサーバ５４と、組み込みのデータセンサ５２を使用して緯度と経度に変換する「ジオコード」の力が必要となります。着信セルタワー三角ジオ１９０へのアクセス権を持つデータベース・サーバーは、非常に簡単にデバイスによって報告された緯度と経度が、郵便住所の緯度と経度の指定した距離内にあるかどうかを判断することができます。このジオコーディング機能は、５０を説明した投票アプリケーションのためのコンピュータサーバ５４に組み込まれています。サーバ５４は、地理的な位置データがデータベースにデバイス５２の投票アプリケーションを執行するするために認証される有権者１４のコンピュータサーバ５４と一致して調整するかどうかを判断するためにサーバーにインストールされているＭａｐＴＰ  ＷｅｂサービスＡＰＩが含まれています。
【００２６】
図３は、検出に応答し、セルタワーの三角測量点の緯度と経度のデータを受信した通信データパケットを確認後、ターゲットを絞ったモバイル通信デバイス１４上で実行されるさまざまな投票へのアクセスおよびメソッド・ルーチンのブロック図を示します。図２に示されるように、対象となるワイヤレス通信デバイスは障害適応機器３１が含まれており、全地球測位システム（ＧＰＳ）の位置がルーチンを測定するように、ルーチン２２を推定する地理的な場所で、画像キャプチャルーチン２４および音声キャプチャルーチン２４を実行するように動作可能し、有権者が盲目であり、オーディオのキャプチャルーチン２６を含むデバイス上の音声翻訳のサポートを必要とする場合は、ルーチン２６をキャプチャします。ＮＦＣのデータ転送による追加ルーチン２７のルーチンとＡ−ＧＰＳを含む他の場所に関連するルーチン３２は、アプリケーションのデバイスの投票データ・エントリ・ルーチン２８のインプットし、有権者は投票のエントリ、および／または装置１４とＳＩＭカードモジュールからのデータとコンピューティング・ツールを統合することにより、投票アプリケーションを実行するためにＳＩＭカードのデータモジュール３０の投票の選択の複数のエントリを選択することができます。
【００２７】
これらのルーチン、地理的な位置データ、画像データおよび／または音声データの結果は、Ｗｅｂインタフェース、ネットワークエンティティを介してユーザ／所有者に連絡が戻ることができ、選挙会場に実際いる有権者またはプロバイダーといった、管理者、選挙当局が選挙を実施し、及ぶ・又は分析のために他の関連事業を行うことができる。
地理的な位置データ２２と３２は、投票時のデバイスのセルタワーの三角測量の位置情報を確認する機能を提供します。
【００２８】
図４は、モバイル通信デバイスと有権者、消費者のデバイスを使用して投票選択を入力しようとされている有権者の位置に基づいて、モバイル通信デバイスを認証するための方法を示すフロー図である。
【００２９】
投票プロセスを開始する前に、有権者はモバイル通信デバイス（ステップ２００）に自分自身を認証します。消費者はさまざまな方法でモバイル通信デバイスに自身を認証することができます。典型的な認証メカニズムは、個人識別番号（ＰＩＮ）の入力、
異議申し立ての応答の入力、モバイル通信デバイスで消費者の身元を確認するその他の方法を含み、特定の投票や不在者投票の選択プロセス前に登録有権者が投票できるよう有権者登録レコードからのデータを含むデータがそれに含まれている。
【００３０】
モバイル通信デバイスに自分自身を認証した後、モバイル通信デバイスまたはＳＩＭカードは、投票アプリケーションの投票（ステップ２１０）を開始するために自宅郵便サービス住所ＧＰＳ座標、準拠ＧＰＳ郵便サービス住所ＧＰＳ位置、またはその範囲内で使用されます。投票許可や認証はまた、投票システムの時刻または日付のパラメータに依存するかもしれず、ルールと許可サーバーデータベースに格納され、有権者、そして／または、投票プロセスに関連付けられています。
【００３１】
選挙当局、許可されたＧＰＳの場所情報をコンピューターサーバー（ステップ２２０）を提供し、正確な場所や範囲を一致させるために格納されています
デバイスセルタワーの三角測量の位置情報は、有権者は消費者向けデバイスであるかどうかにかかわらず投票を選択することができ、ポーリングの場所のＧＰＳ座標などの代替のＧＰＳアドレスの場所を含め、投票時の有権者の場所を識別することがでます。
【００３２】
移動通信装置は、処理ネットワーク（ステップ２３０）へ有権者の位置情報を提供します。したがって、処理ネットワークでは、投票がモバイル通信デバイスによって開始されている投票の場所を識別することができるのです。
【００３３】
移動通信装置の位置は全地球測位システム（ステップ２４０）を使用して識別されます。全地球測位システムは、有権者データベースとリモートコンピュータのサーバの処理ネットワークにモバイル通信デバイスのセルタワーの三角測量の位置情報を提供します。
【００３４】
モバイル通信デバイスの位置が有権者の事前指定された郵便サービスメールの場所（ステップ２５０）に対応しているかどうかという推定がされます。投票とネットワークは有権者の場所がモバイル通信デバイスのセルタワーの三角測量の位置（または、その場所か、その半径範囲以内）に対応していた場合に確認することが出来ます。
例えば、モバイル通信デバイスは有権者の自宅郵便配送リストの住所（すなわち、通常、投票の登録をする時に運転免許証または住所に一致するアドレスと同じ場所）であるとして識別されたときに、投票処理ネットワークがその決算を認証します。（ステップ２６０）投票が委託投票であったり、組合の投票であった場合には自宅住所がコンピューターサーバーのデータベースに保存されているＧＰＳ位置情報とは関係が無いため、同様なマッチングは企業所在地で行うことが出来ます。
【００３５】
投票処理ネットワークは、リモートコンピューターデータサーバー内で、セルタワーの三角測量の位置に基づいて比較・マッチングを行い、モバイル通信デバイスの郵便場所が有権者の場所と対応していないときに、モバイル通信デバイスを認証しないことができる。（ステップ２８０）例えば、モバイル通信デバイスは、有権者の自宅の住所から別の場所にあるものとして識別されたときに、トランザクションが認証されないため、投票処理ネットワークでは、投票を処理しません（ステップ２７０）。有権者２９０は、電子メール、ＳＭＳ、またはデバイスの画面上にインターネット経由で配信されるメッセージにより規則と許可のデータベースサーバーにより、パラメーターを通知され、または、郵便住所とのＧＰＳデータマッチングがデータベースサーバと一致せず、したがって、デバイス上で認証された票は、この時点で消費者のデバイスを使用することができません。認証処理は終了し、別の方法で進めることができます（例えば、投票のために指定された物理的なポーリングの場所へ実際に行く）。
【００３６】
図５は、本発明のＷｅｂ対応の投票方法における第二の例示的実施形態を示しています。掲示されたように、イメージセンサ装置２０は以下を含む：州の運転免許証、州のＩＤカード、政府発行のＩＤカード、パスポートなどを含む手書きの署名文書１１のデジタル画像キャプチャと処理をするためのワイヤレス／モバイル・消費者・デバイス１１０であり、本発明の方法に従い、リモート画像データキャプチャコンピュータサーバー１１１にデジタル画像ファイル１４（ワイヤレス通信リンクを介して）送信し、投票時に、モバイルイメージをキャプチャし、処理する。そして、画像データキャプチャーサーバー１１１から投票データベースサーバーネットワーク１１２（第２のＷｅｂ通信リンクを介して）に保存された、画像処理アプリケーションサーバーへ送信する。さらに投票を検証し、紙ベースの署名記録を比較することにより、選挙後の投票監査の紙検証方法による投票を認証するために手書きの署名の有権者像のアプリケーションストレージとリファレンスデータベースメソッドをサポートすることができます。
【００３７】
代替の実施形態においては、別のカードに署名することができ、選挙当局のメールとして、手書きの署名１６の投票プロセス検証と投票用紙と共に郵便住所へ送り返すことが出来ます。また、画像ファイル１３は、コンピュータサーバ１１１および投票のデータベースサーバ１１２にインターネットインフラストラクチャ上で送信された画像ファイルと一緒にセルタワーの三角測量地理位置データを提供するために、装置１１０から位置１５のデータにアクセスできます。
【００３８】
図６は、本発明のいくつかの実装によると、加入者識別モジュール（ＳＩＭ）カードがコンピュータに実装された投票法で有権者とデバイスの認証に利用することができる取り外し可能なポータブル／集積回路カード（ＩＣＣ）である。
【００３９】
本発明のいくつかの実装によると、図６を参照して、有権者１０２は、ＳＩＭカード６３０が付属されている消費者モバイルデバイス６００を使用し、ＳＩＭカード６３０はコンピュータに実装投票法のさまざまな機能を実装する。これらの実装では、ＳＩＭカード６３０は、さらに他の情報ともを含めることができ、ＳＩＭカードに含まれる情報は上述されている（例えば、有権者の登録記録の識別に関連する情報、有権者の郵便住所情報を、有権者のＧＰＳホームロケーションの緯度と経度、有権者の国際移動体装置識別（ＩＭＥＩ）のデータ（提供地域情報・コードのコマンドを使用して、および／または他の有権者やデバイス情報）。また、ＳＩＭカード６３０には有権者の記入できる電子フォームの投票用紙が含まれ、ダウンロードするか、デバイスの表示画面で投票の選出プロセスを見ることが出来る。
【００４０】
本発明のいくつかの実装によると、ＳＩＭカード６３０を含むモバイルデバイス６００を持つ有権者１０２は、現場投票１０５をするために投票所１０５を訪問し、その場で有権者の有権者に関わる情報を得るためにＳＩＭカード６３０にアクセスをし、有権者登録に関する電子用紙または、投票用紙の書式に準拠した有権者の選択フォーム、または他の投票情報を取得することができます。これは、ＳＩＭカード６３０が動作するモバイルデバイス６００に関連付けられたさまざまな有線または無線通信リンクを介して達成することができる。これは、直接ＳＩＭカード６３０を読んで（例えば、モバイルデバイス６００からＳＩＭカード６３０を取り外し、挿入することによって（すなわち、デバイス６００または選挙場１０５でリーダーに別のＳＩＭカード６３０を「ホットスワッピング」すること）によって達成されるかもしれません。この得られた有権者情報は投票所の場所１０５とＳＩＭカードを持つ有権者１０６との間で有権者の投票に準拠した投票用紙を作成するために使用されることがあります。
【００４１】
図６に示すように、本発明のいくつかの実装では、モバイルデバイス６００が、
本発明の様々な特徴や機能を有効にすることができる複数のＪａｖａ（登録商標）Ｃａｒｄのアプリケーション・モジュールを備えたモバイルデバイス６００のメモリーに格納されているアプリケーション（図示せず）を実行するように設定することができます。例えば、１つまたは複数のソフトウェアモジュール６１２は、一つ以上の機能を実行することができます。ＳＩＭカード６３０にアクセスし、ＳＩＭカードと遠隔サーバー６１８の有権者情報を更新する、デバイス上のインターネット投票のために有権者の投票用紙を作成する、または他の機能といったことです。
【００４２】
本発明の様々な実装によると、これらのアプリケーション・モジュールには複数の第三者サービス、モバイルセンサＡＰＩソフトウェアと通信の相互作用モジュール６１０、ＳＩＭカードアクセスモジュール６１２、デバイスＩＤ作成モジュール６１４、ＳＩＭカード相互作用モジュール６１６、サーバアップデートモジュール６１８、または他のモジュール６２０などが含まれている。
【００４３】
本発明のいくつかの実装によると、有権者１０２はモバイル装置６００を利用して第三者サービスＡＰＩのソフトウェア、および通信アプリケーション１１０に接続し、投票所１０６かＧＰＳ座標により報告された有権者の郵便住所、または第三者サービスＡＰＩソフトウェアアプリケーション対話モジュール６１０により、その双方から第三者サービスＡＰＩソフトウェア１１０のどれかで提供される最初の有権者情報を取得するリクエストを作成します。第三者サービスＡＰＩソフトウェアアプリケーション１１０は最初の有権者情報のリクエストを受信し、それに対応して、最初の有権者情報をインターネットデーターベース１０６から取得し、有権者１０２のモバイルデバイス６００へその取得した情報を提供します。第三者サービスＡＰＩソフトウェアアプリケーション対話モジュール６１０は最初の有権者情報を第三者サービスＡＰＩソフトウェア１１０から受け取り、モバイルデバイス６００に含まれるＳＩＭカード６３０にある、その取得した情報データ、投票用紙、またはＡＰＩ６１０を保存します。
【００４４】
この図では、消費者向けデバイス上で見られるＨＴＴＰ／ＨＴＴＰＳとｈｔｍｌインターネットデータベース１０６の内容を受け取ることができるＷｅｂベースのブラウザにより、インターネットに接続したスマートフォン６００消費者向けデバイスがあります。この方法が提供する新しいアプローチは、ＳＩＭカード６３０上でＨＴＴＰ  ／  ＨＴＴＰＳ、およびＨＴＭＬ  Ｗｅｂページを置くことによって投票するＳＩＭツールキットからスマートカードＷｅｂサーバを使用することです。この実装によると、ＳＩＭカードは、投票または実装をサポートすることができる消費者向けデバイスの携帯電話による投票に関する特定の内容を格納することができます。携帯電話上のデバイスのブラウザにおけるＵＲＬ要求からＷｅｂサイトを送信する代わりに、ウェブページアクションが、ＳＩＭカードからＨＴＭＬ  ／  ＨＴＴＰＳ内容を受信するエージェント６１４によって実行されます。したがって、投票を開始する要求がデバイスを使用して有権者によってＳＩＭカードに送信され、ＳＩＭカードがインターネットから適切な内容をフェッチします。この発明の方法に含まれているものは、画像、ＭＩＤｌｅｔ、ファイル、すでにＷｅｂブラウザ上に置かれているＳＩＭベースのサービスによって提供されるデータです。  ＨＴＴＰ  ／  ＨＴＴＰＳ有権者関連内容は、ウェブブラウザプログラムではなく、ＳＩＭカード６３０によって組み立てられ、解決されています。
【００４５】
本発明のいくつかの実装では、第三者サービスＡＰＩのソフトウェア・アプリケーションの対話のモジュール６１０が第三者サービスＡＰＩのソフトウェア・アプリケーション１１０にＳＩＭカード６３０の最初の有権者情報を有権者１０２の更新（追加、削除、変更、および／またはその他の更新）を提供することがあります。第三者サービスＡＰＩのソフトウェア・アプリケーションとの対話モジュール６１０は、有権者の選択したＡＰＩのソフトウェア・アプリケーション１１０に関したアップデート、有権者１０２、および／または他の投票者情報に関連付けられた有権者の身元関連の情報を提供することがあります。ＳＩＭカードはＳＣＷＳ技術を使用してスマートカードＳｅｖｅｒの相互作用として知られているＳＩＭカードプログラミングソフトウェア方式を使用して相互作用を実装しています。アプリケーションは、ＳＩＭのアライアンスローダーを使用して無線（ＯＴＡ）を経由しているかもしれない。さらに、ＳＩＭカードＩＭＥＩは、プロバイドローカル情報（ＥＴＳＩ  ＴＳ  １０２  ２２３）コマンドを使用することによって読み込まれ、通常、ＳＩＭカードにソフトウェアをダウンロードするには、ユーザーはＰＩＮまたはパスワードを必要とします。Ｇｅｍａｌｔｏ．ＲＴＭはＳＩＭカードの製造社の一つで、ＳＣＷＳ技術によりＳＩＭカード上での投票といったモバイルアプリケーションを実装するためにスマートカードＷｅｂサーバ技術を使用します。ＳＣＷＳ互換性のある携帯電話とＳＩＭカードは、インターネット方式を使用して有権者アプリケーションのために、特に有益でスマートカードのセキュリティ機能を活用することで、標準的なＷｅｂ技術を備えたセキュアなサービスの展開を可能にします。
【００４６】
本発明のいくつかの実装では、有権者１０２は、モバイルデバイスのデータ入力画面や他の統合されたデータ入力のキーボードを使用し、更新された情報を直接入力されたＳＩＭカード６３０に含まれている有権者の情報、例えば、有権者の身元および登録関連の情報、および／またはその他の情報を、更新することができます。この更新された情報は、直接第三者サービスＡＰＩのソフトウェア・アプリケーションとの対話モジュール６１０を介して第三者サービスＡＰＩのソフトウェア・アプリケーション１１０に伝えられるかもしれません。いくつかの実装では、更新された情報は同様に、第三者サービスＡＰＩのソフトウェア・アプリケーション１１０に更新された情報を通信することができるＰＣで伝えられるかもしれません。第三者サービスのＡＰＩのソフトウェア・アプリケーション１１０は、データベース１０６内またはデバイスサーバアップデートモジュール６１８内の更新有権者情報を受信および格納することができます。いくつかの実装では、有権者から更新された有権者の情報はＳＩＭカードとの対話モジュール６１６を介してＳＩＭカード６３０で受信され、格納されることがあります。
【００４７】
本発明のいくつかの実装では、有権者の情報は、有権者のＰＣに維持することができ、ＳＩＭカード６３０に有権者の情報と同期させることができます。有権者１０２は、有権者のＰＣで維持有権者情報を更新することができます。更新された有権者の情報は、ＳＩＭカード６３０にＰＣからダウンロードすることができます。その後、更新された有権者の情報は、モバイルデバイス６００によって、第三者サービスＡＰＩのソフトウェア・アプリケーション１１０に伝えられるかもしれません。
【００４８】
いくつかの実装では、第三者サービスのＡＰＩソフトウェア・アプリケーション１１０は（他の実体、例えば、ＡＰＩソフトウェア・アプリケーション１１０、有権者１０２、および／またはその他の実体からのアップデートを含んでもよい）から更新された有権者情報を第三者サービスＡＰＩのソフトウェアアプリケーションとの対話モジュール６１０を介してモバイルデバイス６００のＳＩＭカード６３０に受信して保存することができるかもしれません。いくつかの実装では、第三者サービスＡＰＩのソフトウェア・アプリケーション１１０から更新された有権者の情報は消費者デバイスによって受信されることがあります。得られた有権者の情報は消費者のデバイスからダウンロードして、モバイル装置６００に含まれているＳＩＭカード６３０に格納されている可能性があります。
【００４９】
本発明のいくつかの実装では、第三者サービスＡＰＩのソフトウェア・アプリケーション１１０は、対応する有権者の相互作用のモジュールを含んでもよい（第三者サービスＡＰＩのソフトウェア・アプリケーション１１０をモバイルデバイスから有権者情報を取得する要求の受信し、モバイルデバイス６００に要求された有権者の情報を取得し提供し、モバイルデバイス６１８から有権者情報の更新を受信し、モバイルデバイスへの有権者の情報にアップデートを提供し、モバイルデバイスから有権者情報を表示するために要求を受信し、モバイルデバイス、および／または他の機能に情報を表示を提供します。
【００５０】
本発明のいくつかの実装によると、モバイル装置６００は、投票プロセスに関連付けられた電子投票フォームをと／またはその他の情報含む有権者情報を取得するためにＳＩＭカード６３０にアクセスすることができるモジュール６１２にアクセスしてＳＩＭカードを有することができる。
【００５１】
本発明のいくつかの実装では、ＡＰＩソフトウェア・アプリケーション１０５は、直接サーバーアップデートモジュール６１８を介してサードパーティのサービスＡＰＩのソフトウェア・アプリケーション１１０に関連付けられたリモートサーバ６１８で有権者情報を更新することができます。いくつかの実装では、有権者の投票所１０５が、ＳＩＭカード６３０上の有権者情報をインターネットのデータベースによりアクセスされた遠隔サーバーにある有権者情報と同期アップデートすることで有権者情報をアップデートできるかもしれない（たとえば、投票場で障害を持つ人が援助技術手段を有するモバイルデバイスを使って投票するために援助を必要とする場合）。
【００５２】
いくつかの実装では、モバイルデバイス６００は、ＡＰＩのソフトウェア・アプリケーション６１０のサーバ・アップデート・モジュール６１８と同様にサーバーアップデートモジュール６１８を含むことができる。いくつかの実装では、サーバのアップデートモジュール６１８は、遠隔サーバ上で有権者情報を更新することができ、遠隔インターネット・データベース・サーバ１０６における有権者情報を含むＳＩＭカード６３０上で、セルタワーの三角測量の位置情報の座標データを含む有権者の情報を、同期させることができます。
【００５３】
本発明のいくつかの実装では、アプリケーションは、図６に関して説明しており、ＳＩＭカード６３０に常駐することができ、モバイルデバイス６００は、ＳＩＭカード６３０上のアプリケーションの常駐を実行するように構成することができます。アプリケーションと有権者の情報はＳＩＭカードの別の領域に格納されている可能性があります。
【００５４】
本発明のいくつかの実装では、インターネットデータベース１０６およびモバイルデバイスを使用して投票プロセスを証明、認定するための法的宣言６４０手書きの署名方法を含む、ＳＩＭカードの投票プロセスの後に消費者向けデバイスから取り外し、選挙当局または選挙管理局に郵便６４０によって送信することができます。このような場合には、ＳＩＭカードは、署名カード、返信郵便サービス６４０データのポケットに含まれるＳＩＭカードからの電子投票を監査する手段であり、紙検証記録として紙基盤の他のフォームと一緒に返されることがあります。それは、選挙後の監査の検証プロセス、または、投票認証の異議申し立てを解決応答をよりよくするに、デバイスからインターネットベースの票を補完したり、再確認する必要がある場合です。
【００５５】
図７から１０はコンピュータの画面のモニターに表示されたタグのデジタル画像を標的としキャプチャした消費者のデバイスからインターネットベースの投票アプリケーションで使用するために、Ｍｉｃｒｏｓｏｆｔ．ＲＴＭタグをスキャンするように構成され
消費者デバイスを持つ個人有権者のプロセスフローを示し、それは指定されたＩＰアドレスまたはＵＲＬで投票内容を受信したとき。
【００５６】
図７は、デジタルの実施形態の下で、Ｍｉｃｒｏｓｏｆｔ．ＲＴＭタグ画像６０を取得するように構成する消費者のデバイスを示しています。消費者（すなわち、モバイル）デバイス１０は、有権者の２０が動作させ、Ｍｉｃｒｏｓｏｆｔ．ＲＴＭタグ６０のデータの認識活動に対応するすべてのアプリケーションが含まれて処理されています。これらのアプリケーションは、Ｍｉｃｒｏｓｏｆｔ．Ｔａｇ  ６０を表示するコンピュータの画面４０の上へ表示されたインターネット上の複数のＭｉｃｒｏｓｏｆｔ．Ｔａｇを使用してスキャンする（または「Ｓｎａｐ  Ｉｔ」）アプリケーションを含む消費者デバイス５０カメラアプリケーションを使用して、画像キャプチャカメラアプリケーション３０（例えば、アクティブピクセルセンサによる）が含まれが、アプリケーションはこれに限定されるものではありません。
【００５７】
実施の形態では、Ｍｉｃｒｏｓｏｆｔ．ＲＴＭタグ６０認識処理が別々のＰＣ、および関連するＰＣディスプレイモニタ画面４０との組み合わせで、消費者デバイスによる相互作用的な投票を提供するために、ネットワーク経由でサーバに結合された民生用機器を介して行われ、有権者の取り込みと、別のモバイル・消費者・デバイスを使用して、選択するためのＭｉｃｒｏｓｏｆｔ．ＲＴＭタグの画像（複数可）を表示されます。これらの実施形態では、有権者がＭｉｃｒｏｓｏｆｔ．ＲＴＭタグの認識活動と運動をサポートするサーバ、１つまたは複数のネットワーク（例えば、インターネット、ワイヤレスネットワーク、有線ネットワークなど）を介して通信するために、ローカルの処理装置（例えば、民生用機器）を使用します。
【００５８】
図８は、本実施形態の下で消費者デバイス６１とネットワークのカップリングを介してサーバーとの間のＭｉｃｒｏｓｏｆｔ．ＲＴＭタグ６０を認識処理を支援するシステムのブロック図である。システムはＭｉｃｒｏｓｏｆｔ．ＲＴＭタグの認識をサポートするサーバー・ネットワーク１４０が含まれています。ネットワーク１４０は、例えば、モバイル・インフラストラクチャ１３０であり、ワイヤレスネットワーク、インターネット、または通信ができるその他のネットワークタイプ１３０、複数の有線ネットワークに結合または接続されている消費者デバイス１００を有してます。例えば、固定またはモバイルデバイスのカメラ１００を使用して多数の有権者がそれぞれのネットワーク・サーバー環境１４０を介して、Ｍｉｃｒｏｓｏｆｔ．ＲＴＭタグ認識サービスをサポートする電子ＰＣ画面ディスプレイ１２０と通信することができます。実施形態では、有権者１００は、携帯電話、パーソナルデジタルアシスタント、パーソナルコンピュータ、ワークステーション、またはＭｉｃｒｏｓｏｆｔ．ＲＴＭタグ６０の形で耐久性のあるコンピュータで読み取り可能な識別子を介してＭｉｃｒｏｓｏｆｔ．ＲＴＭタグをスキャンすることができる他のデバイスを使用して、ネットワーク１４０を介して固定または携帯電話のカメラデバイスと消費者デバイス６１を使用して通信しますが、これに限定されない。
【００５９】
さらに別の実施形態では、有権者はＭｉｃｒｏｓｏｆｔ．ＲＴＭタグの処理をサポートするソフトウェアアプリケーションで、モバイル・インフラストラクチャ１３０を介して、相互作用的な投票のデジタル認識のためＭｉｃｒｏｓｏｆｔ．ＲＴＭタグ６０をスキャンするデバイスのカメラを使用し、インターネット投票方法に署名する時に、Ｍｉｃｒｏｓｏｆｔ．Ｔａｇ  ６０を読み取るためのソフトウェアをダウンロード、またはそのＰＣデバイス１２０上の遠隔コンピュータのサーバの要求から、消費者デバイス６１にインストールされるようになります。これらのダウンロードしたアプリケーションは、その後Ｍｉｃｒｏｓｏｆｔ．ＲＴＭタグの認識と関連した投票の選択プロセスの実行中に消費者デバイス６１上で実行されます。
【００６０】
有権者がＭｉｃｒｏｓｏｆｔ．ＲＴＭタグの認識活動のためのサーバーと通信しようとする場合、有権者はＶｏｔｅｒＴａｇｓ．ＲＴＭ  のＭｉｃｒｏｓｏｆｔ．ＲＴＭタグまたは１つまたは複数のＭｉｃｒｏｓｏｆｔ．ＲＴＭタグの電子ディスプレイ１５０のＭｉｃｒｏｓｏｆｔ．ＲＴＭタグをスキャンし、または、Ｍｉｃｒｏｓｏｆｔ．ＲＴＭタグ認識ソフトウェアアプリケーションおよびダウンロード処理をサポートするＰＣデバイス１２０によってサーバに、Ｍｉｃｒｏｓｏｆｔ．ＲＴＭタグを転送することとなります。消費者デバイス１００上で動作しているブラウザは、モバイルワイヤレスネットワークインフラストラクチャ１３０（例えば、Ｗ−ＣＤＭＡ、伝送制御プロトコル／インターネットプロトコル（ＴＣＰ／ＩＰ）の結合または接続）への結合または接続を確立します。
【００６１】
情報とメッセージは送信元から宛先に送信されるため、小さな断片、またはパケットに分割されています。確実にパケットが適切な宛先に送信されている間、プロトコルがダウンして破壊し、パケットを再構成します。各パケットは、パケットが同じ送信されたメッセージや情報の他のパケットに再組み立てされることになっている順序を含むさまざまな情報を含むヘッダが与えられています。各パケットは、インターネット１３０を介して伝送するための個別のＩＰ封筒に入れられます。ＩＰ封筒には、ＩＰデータまたはＵＲＬの宛先アドレスへのインターネット１３０へ移動させるアドレス情報を含む。それらがすべて同じ宛先の場所に送信し、その後、適切に再構成されているために、同じ送信されたメッセージや情報のパケットを含むすべてのＩＰ封筒は、同じアドレス情報を持っています。各ＩＰ封筒は、また、ソース、または有権者の郵政メール、アドレス、投票の日付と時刻、投票時間、およびパケットが破棄されるまで維持されなければならない時間、などの情報を含むヘッダが含まれています。
【００６２】
相互的な投票のためのＭｉｃｒｏｓｏｆｔ．ＲＴＭタグの認識活動の実施形態では、表示画面や消費者デバイス６１を含むＰＣデバイス１２０により、Ｍｉｃｒｏｓｏｆｔ．ＲＴＭタグ機能上で使用するためのＷｅｂページを構成するＸＭＬ（ｅＸｔｅｎｓｉｂｌｅ  Ｍａｒｋｕｐ  Ｌａｎｇｕａｇｅ：拡張マークアップ言語）ファイルを介して、有権者は要求します。本実施形態のＭｉｃｒｏｓｏｆｔ．ＲＴＭタグ機能はＭｉｃｒｏｓｏｆｔ．ＲＴＭタグの認識をサポートしているサーバからＭｉｃｒｏｓｏｆｔ．ＲＴＭタグの処理の演習が含まれています。本実施形態のＭｉｃｒｏｓｏｆｔ．ＲＴＭタグの機能はまた、消費者にマルチメディアオブジェクトまたはＷｅｂページを返すようにデコードされたＭｉｃｒｏｓｏｆｔ．ＲＴＭタグからＵＲＬの使用が含まれています。適切なＸＭＬファイルは、インターネットや無線ネットワークを介して、サーバから消費者に返され、消費者のブラウザがＰＣのデバイス１２０の消費者の画面上のテキスト、グラフィックおよびマルチメディアファイルのデータを表示しています。有権者は、表示されるＷｅｂページの方向で様々な投票や有権者登録や投票のプロセスを実行することができます。
【００６３】
インターネットやワイヤレスネットワークを介して相互的な投票をするＭｉｃｒｏｓｏｆｔ．ＲＴＭタグの認識処理をサポートするために、有権者は、消費者から遠隔にあるかもしれないし、ないかもしれませんが、デバイス上Ｍｉｃｒｏｓｏｆｔ．ＲＴＭタグ認識プログラムまたはサーバーにアクセスします。有権者は、その後、消費者デバイスを使用してＭｉｃｒｏｓｏｆｔ．ＲＴＭタグをスキャンし、スキャンに応答して、サーバからの応答やフィードバックを受け取ります。  Ｍｉｃｒｏｓｏｆｔ．ＲＴＭタグの認識プログラムからの応答のフィードバックは、テキストの形で、グラフィックス、オーディオ／ビジュアル、オーディオ、またはこれらを組み合わせたものであるが、これに限定されません。
【００６４】
上述のように図８を参照して、Ｍｉｃｒｏｓｏｆｔ．ＲＴＭタグの認識のサポートをするインターネット・サーバ・ネットワーク１４０上では、固定またはモバイルデバイスのカメラを有す多数の有権者１００は  Ｍｉｃｒｏｓｏｆｔ．ＲＴＭタグ識別子の認識サービスをインターネットや無線ネットワーク１３０における投票のために、サポートするＰＣ装置１２０とサーバと通信するように設定されている。実施形態では、それぞれの有権者１００のためＭｉｃｒｏｓｏｆｔ．ＲＴＭタグの認識処理をサポートするために、サーバ１２０は、Ｍｉｃｒｏｓｏｆｔ．ＲＴＭタグの処理スレッドを実行します。
【００６５】
本実施形態の下で、図９は、相互的なインターネット投票のアプリケーション上で処理するためにサーバーへをＭｉｃｒｏｓｏｆｔ．ＲＴＭタグデータを伝送することが表記されています。有権者２００は消費者向けデバイスを使用してＭｉｃｒｏｓｏｆｔ．ＲＴＭタグ６０をスキャンするときに対話型の投票Ｍｉｃｒｏｓｏｆｔ．ＲＴＭタグの認識処理の一実施形態が開始されます。Ｍｉｃｒｏｓｏｆｔ．ＲＴＭタグは、Ｗｅｂ上または投票者がアクセスしようとしているサーバーのコマンドの情報や指示を含んでいます。消費者デバイスデコーダ４２０は、ネットワークを介して復号化されたＭｉｃｒｏｓｏｆｔ．ＲＴＭタグ４３０からＭｉｃｒｏｓｏｆｔ．ＲＴＭタグ処理アプリケーションおよびＵＲＬをサポートするサーバーへのＭｉｃｒｏｓｏｆｔ．ＲＴＭタグ撮像した画像データ要求を送信します。
【００６６】
有権者によりＭｉｃｒｏｓｏｆｔ．ＲＴＭタグの伝送に対応するため、有権者は、インターネットベースの投票活動で使用するためにサーバからＷｅｂページを構成するＸＭＬファイル４５０を受信し、消費者デバイス２０５は、テキスト、グラフィックスとファイルのマルチメディアデータを有権者２００へ表示する。有権者は、その後表示されるＷｅｂページを介してＭｉｃｒｏｓｏｆｔ．ＲＴＭタグを選択すると、選択された運動に関連付けられたスクリプトは、ブラウザのコンポーネントをアクティブにします。
【００６７】
実施の形態では、テキスト応答はすでに有権者によってアクセスされるアクティビティの、現在のＷｅｂページを表示する画面の部分に表示されているサーバーから、有権者に返されます。代替の実施形態では、全く新しいＸＭＬページ４５０は、モバイル装置４１０上で消費者の画面を経由して、有権者に新しいＷｅｂページとして表示されるサーバー４４０から返されます。
【００６８】
一般的に、Ｍｉｃｒｏｓｏｆｔ．ＲＴＭタグの処理スレッドが消費者からＭｉｃｒｏｓｏｆｔ．ＲＴＭタグのデータパケットを受け入れるように構成され、Ｍｉｃｒｏｓｏｆｔ．ＲＴＭタグ６０をデコードし、有権者への応答、または適切なフィードバックを送信します。  Ｍｉｃｒｏｓｏｆｔ．ＲＴＭタグの処理スレッドが適切なデータにより、１つの機能の処理が必要とされる、これらの各機能は、パイプライン関数で実行されるとき、通常発生する、任意の遅延を排除し、それに利用可能になったこれらの各機能を実行するように構成され他の処理タスクを開始する前に完了します。
【００６９】
本実施形態の下で、図１０は、インタラクティブな投票アプリケーションでデコードされたＭｉｃｒｏｓｏｆｔ．ＲＴＭタグを介したＵＲＬへの接続を表します。消費者デバイスによって受信されたＭｉｃｒｏｓｏｆｔ．ＲＴＭタグは３２０をデコードし、それが投票のアプリケーション（例えば、選挙投票ＸＬＭ処理とＵＲＬのアプリケーション）、またはインタラクティブなＡＰＩソフトウェアの投票アプリケーションによって処理または分析されているサーバーに転送されます。アプリケーションがアクセスし、投票を選択すると、特定の投票の投票選択のコンテンツ選択のさまざまなオプションをホスティングするＵＲＬ  ３５０と情報を交換するためのネットワーク（例えば、インターネット３４０）を介して通信します。  Ｍｉｃｒｏｓｏｆｔ．ＲＴＭタグの処理スレッド３２０は、カップリングや接続（例えば、ＴＣＰ／ＩＰ接続）の実施の形態では、サーバ３３０にアクセスを希望する有権者３１０のために確立されています。消費者３１０とＭｉｃｒｏｓｏｆｔ．ＲＴＭタグ６０をスキャンして有権者に応答して、消費者のブラウザコンポーネントは、サーバーの後に活性化され、Ｍｉｃｒｏｓｏｆｔ．ＲＴＭタグイメージリーダ・プログラムは３２５をダウンロードされていか、あるいは以前にインストールされた消費者向けデバイスに、消費者のデバイスブラウザが開始して、サーバとの接続を確立します。サーバーとの確立された接続は、スキャンＭｉｃｒｏｓｏｆｔ．ＲＴＭタグに対応するサーバ３３０内の特定の運動や投票の選択の記録への接続や方向が含まれています。
【００７０】
１つまたは複数のＭｉｃｒｏｓｏｆｔ．ＲＴＭタグ６０に関連付けられたＵＲＬ  ３５０は、「はい」、「いいえ」、「未定」や、同様の投票の選択オプションを表す投票のための課題に１つ以上の票の選択を表すことができます。ディレクター、労働組合指導者評議会のボード、テレビ出演、年間競争の先生などに実行している候補者の名前などがあげられます。
【００７１】
図１１は、移動通信装置５００の一部のコンポーネントのブロック図を示します。移動通信装置５００は、耐久性のあるコンピュータ可読媒体５１０と消費者のデバイス５２０を含むことができる。この代替実施形態では、コンピュータ可読媒体５１０は、ニアフィールドコミュニケーション（「ＮＦＣ」）タグ、データを格納し、ラベルやタグを含む任意の適切な形態であってもよく、耐久性に優れたコンピュータ読み取り可能な識別子の別の形式かもしれません。
【００７２】
モバイル通信デバイス５００は、さらに一般的に関連付けられているワイヤレス転送（例えば、データ伝送）要素を使用して半導体チップ（または他のデータ記憶素子）の形で実装されているアンテナなどの非接触要素５３０を含むことができる。モバイル通信キャリアのネットワーク経由で送信されるデータまたは制御命令は、非接触要素インターフェース（図示せず）によって非接触要素５３０に適用することができる。接触要素のインタフェース機能は、データおよび／またはモバイル・デバイス・回路（したがって、モバイルネットワーク）と接触要素５３０の間の制御命令の交換を許可します。参考のために、ＮＦＣ携帯電話読み出し回路は、図６で説明したＳＩＭカードに付属することができます。
【００７３】
非接触要素５３０は、一般的に標準化されたプロトコルやデータ転送メカニズムに基づいて（例えば、ＩＳＯ  １４４４３／ＮＦＣ）近接フィールド通信（「ＮＦＣ」）能力（またはニアフィールド通信媒体）を使用してデータを転送および受信が可能です。近接フィールド通信機能は、このようなＲＦＩＤ、Ｂｌｕｅｔｏｏｔｈ（登録商標）．ＴＭとして、短距離通信機能である赤外線、または移動通信装置５００との間で有権者のデータを交換するために使用することができ、他のデータ転送能力、またはそれを使用することができ近く移動通信装置５００及び図６の参照１０５で述べた投票所の場所との間有権者データを交換する。  したがって、モバイル通信デバイス５００は、携帯キャリアのネットワーク（すなわち、Ｖｅｒｉｚｏｎ．ＲＴＭまたはＴ−Ｍｏｂｉｌｅ．ＲＴＭワイヤレス）と近接フィールド通信機能の両方を経由して有権者の投票データおよび／または有権者の認証手順を通信し、転送することが可能です。
【００７４】
モバイル通信デバイス５００はまた、消費者が選択することができ投票と他の投票者情報に関連付けられた有権者の投票を表示できるようにする移動通信装置５００の機能とディスプレイ５５０を処理するためのプロセッサ５４０（例えば、マイクロプロセッサ）を含むことができるとメッセージが表示されます。有権者が障害を持っており、そのような支援を必要とする場合、モバイル通信デバイス５００はさらに、モバイル通信デバイス５００への入力情報に有権者を許可する入力要素５６０を含むことができ、スピーカ５７０は、有権者が投票用紙の内容などの音声通信、テキストツースピーチ読書を聞くことができるようにすると、マイク５８０が、有権者に、モバイル通信デバイス５００を介して音声を送信できるようにして投票を可能にする。
【００７５】
有権者は、モバイル通信デバイスや自分自身を認証するために、携帯電話などの消費者デバイスを使用して、ちょうど彼らが有権者の自宅の管轄の地域、州または国の選挙イベントの選挙会場で同じように投票する方法。コンピュータベースの手法もまた、インターネット法により投票した確認するために有権者の手書きの署名を本人によって検証し、手書きの署名用紙のデータレコードを保持します。それは、選挙当局、または職員に郵便サービスメールを使用して送り返され、あるいは、デバイス上で選挙がなされた後に選挙後の監査を紙ベース検証のレコードでできるように、有権者が直接選挙会場へ赴き、提出することとなる。メソッドは、消費者デバイスで新たな信頼できる投票方式を作成するには、キャプチャや位置データなどのデータセンサーからのデータを適用するデバイスによってワイヤレスで送信されたデータを適用し、耐久性のあるコンピュータ読み取り可能な媒体のアクティブ画素センサ（ＡＰＳ）カメラの画像キャプチャインターネット上で紙の検証痕である。
【００７６】
ワイヤレス・モバイルネットワークキャリアを介してワイヤレスでアクセスすることができ、小型で低コスト、低消費電力のアクティブ画素センサとＣＭＯＳイメージ・データセンサー、ＧＰＳ受信機チップセット、携帯型民生機器、携帯電話、インターネット、データベースサーバーの可用性新しい消費者向けデバイスとモバイル投票方式を有効にする方法を作成するために組み合わせる。結果として、別のコンピュータのアプリケーションとメソッドは、モバイル通信デバイスとその関連ソフトウェアのアプリケーション・プログラム・インターフェース（ＡＰＩ）と信頼できる有権者の認証を使用して選挙当局の本方法を有効にするユーザデバイスの相互作用がその仕事に浮上している。
【００７７】
現在の発明は、有権者と選挙関連するデータベースの検証サービス、画像データの取り込みとレポート、およびオンライン通信とデータベースＲｅｐｏｒｔｉｎｇ  Ｓｅｒｖｉｃｅｓを含むように位置センサデータのための新たなサイバー物理的方法に向けられているへリンクしていると物理的に並列に実行郵便サービスは、消費者のデバイスを使用してインターネット経由でコンピュータのサーバーメソッドによって実行される信頼できる投票プロセスを検証し、許可する電子メールを送信しました。
【００７８】
手段は、部分的には、簡単に本質的に新しいモバイルデバイスの認証とインターネット送信方法は何か有効にするには、物理的な選挙の場所を訪問することができない障害を持つ人々を含む有権者の広い範囲へのアクセス可能なモバイルデバイスの有権者処理を実行する多くの場合、不在者投票の投票プロセスと呼ばれています。
【００７９】
新たな手法は、モバイルデバイスの利便性と郵政メールのセキュリティと信頼性を組み合わせることにより、障害を持っても持っていなくても人のために投票を変換するのに役立ちます。方法は、郵便サービス住所、または他の指定された物理消費者デバイスを認証するための場所で有権者が投票し、投票を処理するために使用することができ、信頼できる電子投票装置に携帯電話やスマートフォンを変えることができます、それは、選挙イベントや株主委託投票、教育委員会の選挙は、大学の学生役員選挙、またはそのような歌手や他のテレビ出演など芸能人を選択するための調査のための人気の選択などです。
【００８０】
本方法の技術的および管理ソリューションは、すべての市民が、個人的に独立して２００２のヘルプアメリカ投票法（ＨＡＶＡ）（４２  ＵＳＣ§１５４４１）の要件を投票できるように助けるように設計されています。技術は、投票が家の住居で行われるようにすることで、すべての有権者の投票システムは、（投票用紙を含む）よりアクセスしやすく、より親しみやすく、障害を持つ個人へのアクセス全体の選挙プロセスを作成するための新しい手法の採用につながるか、指定さ検証し、一部には、消費者向けデバイスのセルタワーの三角測量の位置情報データによるコンピュータとサーバーのデータベースで物理的な郵便サービスのメールアドレスと比較して、ポーリングの場所。
【００８１】
メソッドはさらに、移動体通信の消費者データネットワーク事業者やアプリケーションプログラムインタフェース（ＡＰＩ）を使用して無線アクセス上の消費者向けデバイスに容易にアクセスできるようにすることができ、ＧＰＳ位置座標データで有効にされ、ＳＩＭカードベースのスマートカードＷｅｂサーバインターネット接続されたコンシューマデバイスを使用する。インスタントの方法でインターネット上のデータベースの検索およびレポートによるアクセスを行うために統合することができますセルタワー三角ジオデータのプロバイダが提供するサーバをそのようなＮａｖｔｅｑ．ＲＴＭ、アルカテル・Ｌｕｃｅｎｔ．ＲＴＭ、ｄｅＣａｒｔａ．ＲＴＭとＴｅｌｅ  Ａｔｌａｓ．ＲＴＭなどの企業が含まれてい側のワイヤレス・モバイルの地理空間ソフトウェア・ソリューションは、電力ＧＰＳと関連緯度とコンピュータデータベース検索のための経度データとＪ２ＭＥ  ＡＰＩモバイルプラットフォームを使用して効率的なクライアント／サーバー・アーキテクチャとプログラミングインターフェイスを備えたインスタントメソッドの場所のレポートと分析機能を助けるために、比較と分析レポート機能を提供します。
【００８２】
セルタワーの三角測量のデータはａｓｓｏｃｉａｔの練習ですジオタグまたはジオコード¬る物理的な場所でデジタルリソースとも呼ばれ、位置情報と呼ばれるプロセスを可能にします。位置情¬るは一般的に高精度で地球上の任意の場所を特定することができ緯度と経度の座標の観点に記載されています。
【００８３】
デジタルアーティファクト−などと同様にさらにとセルタワーの三角測量との比較によって検証することができる有権者のメールに貼付または同梱の耐久性のあるコンピュータ読み取り可能な媒体に含まれている恩恵を受ける形の有権者の選挙情報の送信郵政メールなど他の種類の位置データ。セルタワーの三角測量の位置情報データは情報のレイヤーを調整すると、投票当局は、関連資料の間に相関¬ｔｉｏｎｓを識別し、デバイスと有権者認証に対する消費者のコンピューティングデバイスとモバイルセンサＡＰＩアプリケーションのメソッドの成長の相互関連性をより活用するために新たな能力を持っています。投票方法のセルタワーの三角測量の位置情報データは、モバイルセンサＡＰＩ（アプリケーション・プログラム・インターフェース）によってキャプチャされたときにモバイル・コンシューマ・デバイスに投票のための新しい改良された検証ツールを作成します。
【００８４】
モバイルセンサＡＰＩは、Ｊａｖａ（登録商標）  ＭＥと他のソフトウェアアプリケーションは、センサ（ｓ）から容易かつ均一にデータをフェッチすることができます。  ＡＰＩが統一されたモバイルデバイスに接続されたセンサーを管理する方法、およびセンサー・データへのアクセスを提供しています。センサーは、任意の測定データソースです。センサーは、さまざまな種類があります。これらは、含めることができます：ＧＰＳ、アクティブピクセルセンサ（ＡＰＩ）は、カメラの種類ＣＭＯＳデバイスのイメージの形でセンサデータをキャプチャすることができますされているＣＭＯＳカメラモジュールを使用して、このような磁力計と高度計などの物理的なセンサー。
【００８５】
モバイルセンサＡＰＩは、データ、プッシュのサポート、およびアクセス許可を処理し、データをフェッチ、センサ検出、センサの接続を提供します。モバイルデバイスのセンサーは、ＡＰＩ、ＳＩＭカードまたはモバイルデバイス上で一般的にＪａｖａ（登録商標）  ＭＥのデバイスまたは統合されているセンサーとの通信に焦点を当て、一般的な仕様に基づいてダウンロード可能なソフトウェアプログラムによって投票のためのアプリケーションプログラムに接続することができますＪａｖａ（登録商標）ＣａｒｄのＳＩＭのデバイスを持つデバイス。それは、ＲＦＩＤや電子タグの読み取りセンサの形で近接場通信（ＮＦＣ）のコンピュータ可読媒体、耐久性のあるコンピュータ可読媒体は、アクティブピクセルセンサや、ＧＰＳデータ、センサなど、センサの任意の型を指定できます。デバイスの所有者がデバイスの現在位置の座標を含む、ＳＭＳメッセージを送信することも可能になります。ただし、ＳＭＳは、ほぼ確実に簡単にコンピュータのデータベース・サーバーへのデータ接続を作成すると（例えば、ＨＴＴＰ接続を使用してデータを転記することによって）直接情報を送信するよりも複雑で、エラーが発生しやすくなります。
【００８６】
モバイルセンサＡＰＩの主な機能は、センサー・データをフェッチし、設定条件に基づいて、それを監視することです。適切なセンサーを使用するためには、事前に見つからないか、知られるようになっています。アプリケーションでは、有権者登録や投票処理の方法の下のセル基地局による三角測量や他のセンサ（ｓ）でモバイルデバイスを使用して議決権を有効にするために処理するなど、この場合のようにアプリケーションに基づいて、目的のセンサーを検索することができます。このデバイスは、センサ（Ｓ）に関連付けられたアプリケーションプログラムとして自身を登録し、緯度と経度の座標を反映した別の整数の値を格納します。センサーへのＵＲＬの保存定数もあります。このＵＲＬは、ＨＴＣ、Ｓａｍｓｕｎｇ．ＲＴＭ、ソニーＥｒｉｃｓｓｏｎ．ＲＴＭのコンシューマデバイスの携帯電話のように様々なデバイスの位置情報に固有のものです。
【００８７】
いくつかのセンサーのみ、またはユーザーが許可する場合にのみ、使用制限、メーカー、携帯キャリアのネットワークオペレータに使用したり、制御する、または信頼できるサードパーティのドメインアプリケーションを対象としています。アプリケーションは必要な権限を持っていない場合、見つかったすべてのセンサーがまだ返されますが、それらは必要に応じて開くことができません。ユーザーがアクションを実行するために必要なアクセス許可を持っていない場合、議決権ベースのセンサデータＡＰＩのいくつかのメソッドのセキュリティと権限を行うことができます。Ｗｅｂサーバーからこのデバイスは、デバイスのユーザーおよびアプリケーション（ｓ）は、自動的にいくつかのセンサーの使用を制限したりするために様々な権限を指定することができます。
【００８８】
モバイルセンサＡＰＩのアプリケーションに加え、このメソッドは、有権者が組み合わせで他の技術ツールと一緒に電話で行われた各票の正確な位置を、含めることができるようにするモバイルデバイス上の新しいグローバル・ポジショニング・データセンサーおよび報告システムを活用し、それは次のとおりです。ニアフィールドコミュニケーション（ＮＦＣ）とＳＩＭカードの識別ツールと郵政メールを。投票当局は、そこに特定のデバイス、人や場所から、特定の日付と時刻の投票を受け入れるかどうかを判断するためのデバイスによって報告されたデータとデータセンサからのルールおよび権限を設定することができるであろう。
【００８９】
位置情報の議決方法は、投票の認証および検証のための世界標準を作成するのに役立ちます。ＧＰＳセンサに含まれていないときにデータのセンサ方式には、セルタワーの三角測量の位置情報（また、「Ａ−ＧＰＳ」またはアシスト型ＧＰＳとして知られています）、オプションとして、リンクアドレスの逆ジオコーディングを提供するために、デバイス内の他のデータに依存する可能性がデバイス。このような無線通信事業者のネットワークのセル部門とセルタワーのソリューションは、内部の最新のＧＰＳデータセンサーチップセットを持っていない可能性があり、したがって、メソッドの下に位置情報データのセル基地局による三角測量技術に頼らなければならない高齢の消費者デバイスと特に便利です。
【００９０】
ＧＰＳベースのアドレスの位置データの座標だけでなく、メソッドの郵便サービスのメーリングリストのアドレスのデータは物理的な郵便住所または同等品に対応する耐久性のあるコンピュータ読み取り可能な媒体を使って実装することができます。したがって、消費者向けデバイスの有権者によってセルタワーの三角測量のデータまたはその他のテキストエントリの入力を持つデバイスからキャプチャした画像データを補完する代替方法は、デバイスと投票プロセスの検証を完了するために身元を認証するために提供することができます。
【００９１】
別の耐久性のコンピュータ可読媒体の例としては、状態発行の運転免許証、国民ＩＤカード、または記録の手書きの署名または視覚的に印刷されたホーム郵便サービスのアドレスを含めることができ、政府発行のパスポートです。このようなデータカード（ｓ）はデバイスを使用して有権者によって撮像し、補完し、さらに州、地方、国内法又は国際法（Ｓ）の下を確認するために奉仕する方法でコンピュータのデータを入力として取り込まれ、記録されたイメージを適用できること必要な場合がありますように有権者は、選挙後の監査や検証のための投票プロセスを完了しました。
【００９２】
政府または州発行ＩＤカードの画像を携帯電話スマートフォンのカメラベースのコンシューマデバイスで最も一般的に使用されるＣＭＯＳ  ＡＰＳを含むアクティブピクセルセンサーまたは（ＡＰＳ）で取り込むことができます。電子データのイメージによってキャプチャされたアイデンティティの署名レコード（例えば、運転免許証）は、その後捕獲の電子同等のものとして、手書きの署名と郵政メールカードまたはその他の状態や政府のＩＤフォームを送り返すための要件に代わるものとして使用できますデータイメージ（消費者デバイスから補足ＧＰＳのアドレスの位置データを含む）を使用して検証と認証アドレス。
【００９３】
カードが本質であるため、キャプチャされ、送り返された画像データがデバイス上で議決した後に物理的に署名された有権者の認証カードや不在者や他の投票の投票フォーマットをバック郵送する要件へのプロキシとデジタルデータに代えることができる、アドレスおよび手書きの署名検証（Ｓ）電子的に送信と検証（ｓ）のコンピューターサーバーに保存されているを提供する方法を使用して、デジタルファイルとして、議決機関にデジタル画像データ・ベースの形式で返されます。
【００９４】
メソッドはＭｉｃｒｏｓｏｆｔ．ＲＴＭタグで、例によって、耐久性のあるコンピュータ可読媒体を読み取ることができます。コンピュータ可読Ｍｉｃｒｏｓｏｆｔ．ＲＴＭタグは、選挙の投票投票またはフォームで、インターネットに接続されているＰＣやデスクトップコンピュータの画面を表示してブラウザに表示することができる耐久性のあるコンピュータ可読媒体は次のとおりです。からダウンロードするか、またはＵＲＬで閲覧技術的にと呼ばれるデータ符号化された識別子を持つ２次元耐久性のあるコンピュータ読み取り可能な媒体に複数の色や幾何学的なパターンをもたらし、コンピュータ可読媒体（または印刷されたコンピュータ可読媒体は、郵政公社投票または選挙に追加された送信メールの内容に関連）を表示大容量カラーバーコード（ＨＣＣＢｓ）。
【００９５】
高度な耐久性のあるコンピュータ可読媒体はＨＣＣＢｓのデジタル画像としてキャプチャされ著しく不十分なレンズ付きＣＭＯＳイメージ上のアナログ印刷媒体上に格納できる情報量を増やし、読みやすさを向上させるために幾何学的なパターンと複数の色の異なるシンボル形状を採用携帯電話などの民生機器のセンサ、どこに移動通信装置の送信で画像認識処理、無線通信事業者やインターネットによって、タグの耐久性に優れたコンピュータ読み取り可能な画像データＭｉｃｒｏｓｏｆｔ．ＲＴＭまたは他のデータベース・サーバー・プロバイダによってホストされるウェブサイトのサーバーへの読み取るために、投票の選択データを表すＵＲＬに画像データを変換します。このような方法はまた、投票プロセスのために、移動通信装置から、ＧＰＳデータの座標を含めることにより、位置情報を利用することができます。
【００９６】
さらに別の実施態様では、移動通信装置がサーバに最初に画面を表示してＰＣまたはデスクトップコンピュータから表示された耐久性のあるコンピュータ読み取り可能な媒体（すなわち、Ｍｉｃｒｏｓｏｆｔ．ＴＭタグ）の画像をキャプチャして送信することができるカメラ付き携帯電話のデバイスです。モバイル有権者や消費者のデバイスのカメラ機能を用いたＣＭＯＳイメージセンサとメディアのキャプチャデバイスのユーザーの後に。
【００９７】
これらの実施形態のいくつかにおいては、一度サーバが画像を受信すると、画像がモバイル・コンシューマ・デバイスに投票するためのデータ入力選択として機能して選択したタグの画像、その結果、サードパーティ製のソフトウェア、ＡＰＩおよびデータベース・サーバーのルックアップによって処理され、ＧＰＳ位置座標で報告されるように対応する、住所データの報告の補足は、ＰＣのブラウザ画面から２Ｄ表示形式で表示Ｍｉｃｒｏｓｏｆｔ．ＲＴＭタグを読み取ると一緒に票を送信してモバイルデバイスで含めることができ、次によってキャプチャされた消費者向けデバイスのカメラ画像のキャプチャとセンサ機能を提供します。選挙情報とＭｉｃｒｏｓｏｆｔ．ＲＴＭタグを使用し、ＰＣモニタの表示または電子画面に表示されるインターネットに接続されたＵＲＬのインスタント有権者にアクセスするためのＭｉｃｒｏｓｏｆｔ．ＲＴＭタグのユニークな組み合わせは、サーバーベースの検証コード登録このリンクは安全な有権者コードの登録と組み合わせるＭｉｃｒｏｓｏｆｔ．ＲＴＭタグと新しい信頼性の高い選挙の登録有権者とメソッドを作成するには、郵政メールのセキュリティとデータ。
【００９８】
障害を持つ人々、およびインターネットアクセスの手の中にスマートフォンを使用すると、それは物理的な郵便郵便物を塗布Ｍｉｃｒｏｓｏｆｔ．ＲＴＭタグの形で耐久性に優れたコンピュータ読み取り可能な識別子の技術を使用することが可能になりました［０１０５］にしっかりと消費者のデバイスを介してインターネットからアクセスコンピュータサーバーによって受け入れられるためにプログラムさＧＰＳ物理アドレス座標から自宅やその他の許可された物理アドレスの座標または範囲で彼らの消費者向けデバイスから自分の票を投じる。特定の緯度と経度のアドレスの場所が、この仕様書で提示されていますが、上記のモバイル・コンシューマ・デバイスのセンサーのメソッドとの教示を使用して、他の有権者のアイデンティティと認証技術をも考慮する必要があります。
【００９９】
対照的に、認証と信頼性メソッドを追加することで、インスタント技術プラットフォームは、組み合わせることができますし、コンピュータ・サーバー・データベースメソッドで比較し、登録データとデータ・センサは、Ｍｉｃｒｏｓｏｆｔ．ＲＴＭタグとして耐久性のあるコンピュータで読み取り可能な識別子の機能をリンクする障害者のための新たな有権者のサービスプラットフォームを作成するには郵政の封筒やはがきに適用されたマイクロチップタグのセキュリティと。このサービスは、簡単に公式投票用紙を投票し、キャストには登録が携帯電話を使用することができます。Ｖｏｔｅｒｔａｇｓ．ＲＴＭサービスは、アメリカでは、国際的に投票を変換するためのまったく新しい方法を作成します。
【０１００】
耐久性のあるコンピュータ読み取り可能な媒体が有効になってこのような新しい紙検証方法は、個人が耐久性の形でＭｉｃｒｏｓｏｆｔ．ＲＴＭカスタムタグを使用して、インターネットで米国の郵便を組み合わせることにより、スマートフォンやその他のモバイルデバイスからセキュアなインスタント投票を実施するために許可することができますコンピュータ読み取り可能な識別子、または送られた投票の投票郵便に適用されたニアフィールドコミュニケーション（ＮＦＣ）のコンピュータ読み取り可能な技術の応用。一般的に、すべての投票キャストの紙の記録を生成しない電子投票機が投票の権限、または完全に信頼される投票管理者が依拠することはできません。
【０１０１】
インターネット投票のためのサーバーベースのデータの保存方法は、ＧＰＳセンサとＡＰＩアプリケーションのリンクとの比較を使用してインターネット経由で接続して無線で、民生機器から受信した他のデータをキャプチャして保存するサードパーティ製のデータベースのデータ取り込みとオーバーレイによって移入されそれらの本発明の方法により、ルックアップと識別検証のための物理的な住所データに。
【０１０２】
通常、これらのデータベースはローカルまたはリモートのコンピュータシステムのサーバへのＴＣＰ／ＩＰまたは他のインターネット接続によってアクセスされます。リモート有権者の識別およびＷｅｂアプリケーション・サービスは、その後の例でプログラムがＰＣやネットブック消費者のデバイスにインストールされていないのではなく上で使用されているＧｏｏｇｌｅ．ＲＴＭ  Ｃｈｒｏｍｅのオペレーティングシステム「クラウドコンピューティング」モデルを使用して、クラウド・コンピューティングリソースからアクセスできます。インターネットとＷｅｂブラウザを介してアクセスできます。そのようなアプローチでは、有権者のＩＤと検証データはまた、消費者向けデバイスに排他的にインターネットを介してサーバ上に存在する、というよります。
【０１０３】
データベースを可能にするアプリケーション・プログラム・インターフェース（ＡＰＩ）は、発行した万国郵便連合（ＵＰＵ）によって提供されるようなサードパーティのコンテンツの保管と管理サービスとハイパーリンクを実行します。ポスト（ドットポスト）に割り当てられたトップレベルドメイン名のＵＲＬと個々の位置情報郵政選挙のメールアドレスＧＰＳデータの座標に対応することができる。例えば、Ｚｕｍｂｏｘ．ＲＴＭと地球クラスＭａｉｌ．ＲＴＭなどのベンダーは、物理的な郵便サービスメールにオンラインでデータリンクを提供するために、オンラインサーバーのデータベースやＡＰＩによってアクセス可能な住所の場所に関連するデータベースとインターネットベースの郵便メールアドレスを維持［００４３］彼らのオンライン・データ・ストレージ・システム内のデータに対応しています。
【０１０４】
Ｚｕｍｂｏｘ．ＲＴＭ  ＡＰＩは、１５０万人の米国郵便のデータベースアドレス、事実上、米国内のすべての物理アドレスへの電子リンクが含まれています。  Ｚｕｍｂｏｘ．ＲＴＭサービスは、物理的な郵便サービス番地（すなわち、ＵＳＰＴＯメインキャンパス、マディソンビル（東）に基づいて、米国内の各番地にデジタルパイプを表しＺｕｍｂｏｘ．ＲＴＭ経由して送信を意図した物理郵便への自動アクセスを可能にする６００デュレーニーストリート、アレクサンドリア、バージニア州、米国）。このアドレスは、奉仕する信頼性の高い環境を提供するために、万国郵便連合（ＵＰＩ）の基準に基づき発行されるａ．ＰＯＳＴトップレベルドメイン（ＴＬＤ）でフォーマットされたＵＲＬの形式で電子的に同等とするコンピュータ可読データアドレスとして表すことができます。情報および電子通信サービスは、投票方法の必要があります。「６００ｄｕｌａｎｙｓｔｒｅｅｔ２２３１４＠ｖｉｒｇｉｎｉａ．ｕｓ．ｐｏｓｔ」、「ｕｓｐｔｏ＠ｖｉｒｇｉｎｉａ．ｕｓ．ｐｏｓｔ」、「３２ｄｅｇｒｅｅｓ１８ｍ２３．１Ｎ１２２ｄｅｇｒｅｅｓ３６ｓ５２．５ｍｗ．ｕｓ．ｐｏｓｔ」、あるいは進度として：使用して、住所に基づいてＵＲＬの例は、次のようなＩＰアドレスなどのＴＬＤを投稿する（ＤＤ）位置情報はＧＰＳを表すためにそのような４９．５０００ＤＤ−１２３．５０００ＤＤ＠ｇｐｓ．ｕｓ．ｐｏｓｔとしての形式を使用して小数座標を緯度と経度は、ＩＰベースのインターネットアクセス、電子、サーバーのデータ・メールアドレスによって表される郵便メールアドレスの座標で表さまたは類似したＩＰベースのＵＲＬまたはサーバーへのアクセスのデータ形式コンピュータに統合することができ、サードパーティのＡＰＩとして提供されるＩＰベースの進度で表される。
【０１０５】
物理的な街に基づいて、米国や世界中の場所の各番地にこのようなデジタルパイプは、ＧＰＳの緯度と経度の座標データを扱い、実装されたデータベースの方法は、本明細書中に記載。ＡＰＩは、ＨＴＴＰインターネットの通信プロトコルを介してＲＥＳＴを使用して動作します。という用語ＲＥＳＴは「Ｒｅｐｒｅｓｅｎｔａｔｉｏｎａｌ  Ｓｔａｔｅ  Ｔｒａｎｓｆｅｒの」の略で、すべての通信の状態を含むステートレスなプロトコルであるさらに、ＲＥＳＴは、ＨＴＴＰを使用してＷｅｂサービスへのアクセスを提供し、インターネットベースのデータベース・ストレージ・クラウドのために、ＲＥＳＴは、次のようにストレージリソースにアクセスするために使用されるＧＰＳの位置情報（ｓ）をマッチングする郵便メールアドレスに一致するようにサービスを提供します。
【０１０６】
Ｚｕｍｂｏｘ．ＲＴＭ送信、顧客、企業と政府（ｓ）が対処するのに経由郵便サービス配達地域内のすべての番地に対応するデジタル・ストレージ・システムを作成し、郵便サービスなど、いくつかのサードパーティの商用ベンダーのいずれかを表し、またはインターネットを介してデジタルコンピュータ実装有権者の通信を受信します。したがって、移動通信装置の所有者（例えば、携帯電話の無線ネットワークの消費者デバイスとの）から有権者の投票と他の有権者登録や投票の投票用紙を受け取ることができます。議決機関、個人、および関連した、インタラクティブなマルチメディア有権者と選挙関連の有権者のメールやメッセージを送信する企業をインターネット投票投票プロセスへの、またはクリック可能なリンク、およびモバイルデバイスを使用しての投票によって選挙の投票オプションと選択オプションに関連したビデオ・データ・ファイルを含めることができ、インターネットの方法１つ以上の物理的または電子的なＩＰベースの郵便サービスのメールアドレスへ。
【０１０７】
Ｚｕｍｂｏｘ．ＲＴＭ、データベースとアプリケーション・プログラム・インターフェース（ＡＰＩ）およびアプリケーションサービスプロバイダ（ＡＳＰ）モデルに加えて、ＵＳＰＳ．ＲＴＭナショナルデータベースはまた、アメリカ合衆国内のすべての成果物メーリングリストのアドレスが含まれています。メソッドは、キャプチャした画像または場所を使用してデータベース・サーバーを利用し、ストアオンザフライで各郵便サービス郵送可能なアドレスのためのＸＭＬコードを生成し、このまたは他の郵便サービス、データベースへのビジネスのメーラーのアドレスデータファイルに物理アドレスを比較することができます。ハイパーリンクのデータと識別され、投票の一部として確認され物理的な郵便サービスのメールアドレスに対応されている電子のＩＰベースのＵＲＬまたはドメイン名（例えば、。ＰＯＳＴトップレベルのＩＰのＵＲＬ、または関連するドメインのＷｅｂアクセスのアドレス）を関連付け方法。
【０１０８】
投票をを可能とするデータ検証の前述の方法は、投票者のプロセス身元認証とオンラインバンキングが信頼性があり、高レベルであると教えます。なぜなら、身元は郵便住所ＧＰＳデータの座標と範囲の許可や他の規則（モバイル手段で投票できる日付や時間など）に関連付けられた複数の段階で検証される必要があり、選挙当局または投票管理組織の制御下においてコンピューターサーバーに保存されているルールや許可下にその他の個人の身元データのデータポイントを設定することができることがあげられます。
【０１０９】
インターネット接続されたモバイルデバイスは、障害を持つ人々のためにも重要である。過去数年間で、携帯電話、スマートフォンなどの消費者デバイスは、障害をもつ人達の生活の中でかつて無いほど大きな役割を果たている。というのも、選挙、有権者登録、投票プロセスに関わり続ける方法を捜し求め、このますます重要な道具をの新しい使い方を見つけているのである。しばしば法律の下で必要に応じ、選挙会場へ投票をしに行かなければならないと言った課題を持っていた世界中の障害者へ、これらの携帯電話は、通信と利便性の新しい世界を開いた。
【０１１０】
ＨＡＶＡのセクション３０３（ａ）は、有権登録情報の透明性、プライバシー、及びセキュリティが含まれており、同時に、安全な投票をする携帯電話「スマートフォン」デバイスの使用を有効にすることにより、選挙時の有権者のリアルタイム認証の課題を満たします。イメージセンサが内臓された（例えば、カメラのセンサーデバイスとして作動するレンズを含むＣＭＯＳセンサー）消費者デバイス、スマートフォンで、公式の米国選挙郵便メールに貼付され、消費者向けデバイスに構築された安全なインターネット接続を使用して、耐久性に優れたコンピューター可読な識別しと他の有権者の有権者に関する内容のメールと読み取ることができます。
【０１１１】
ｉＰｈｏｎｅ．ＲＴＭ、Ｂｌａｃｋｂｅｒｒｙ．ＲＴＭ、実質的に新しい携帯電話は米国では重宝な携帯電話の分類に入っており、さらに、障害をもつアメリカ人にとっては救命道具であり、補助デバイスであることを意味します。ＩＮＴＥＬ．ＲＴＭといった他の製造社はＩｎｔｅｌ  Ｒｅａｄｅｒといった手持ちのデバイスを標準のテキストを読むのに苦労する人達のために製造しています。というのも、失読症や失明症といった症状ではテキストを音声に変換するソフトウェアを追加して、投票をデジタル化し転送できるからです。
【０１１２】
インターネットに接続できるスマートフォンといった消費者向けデバイス以前には、障害者の公式政府やその他の選挙の候補者への投票には信頼性を維持するために、身元とプロセスの形式をより安全にする必要があった。一部では、これらのレガシー、時代遅れのプロセスは、障害を持つ人達が投票登録をしたり、天気や公衆衛生上の懸念に基づいて、投票をするために外出を決定することを制限するのに役立った。と、いうのは、２００９年に世界的に流行したＨ１Ｎ１のインフルエンザは、福祉警告と、物理的に選挙会場へ行くには具合が悪すぎるという可能性に対応した緊急事態対策を生じたのである。従って、新規の発明は、セルタワーの位置情報データの座標により測定され、他のデジタル伝送データによりサポートされる一軒の郵便住所から投票ができ、それが数に入れられるという新しい方法を作りだしたのである。
【０１１３】
本方法は、この増加するモバイル消費者の通信デバイスとデジタル時代において、選挙のイベントや投票を変えることができます。投票登録または候補者、公共問題、または投票に関する質問に対し、実際投票を処理する選挙場へ行き、その投票場所で実際に投票用紙を預けると言った要件なしに、公式に選択し、投票することを単純で便利そして安全にすることができます。更に、この手段は、改善されたセルタワー三角測量の位置情報の認証と不在者投票のプロセスの身分のセキュリティのために消費者向けのモバイルスマートフォンデバイスの利便性をサポートしており、海外にいる軍人及び海外にいる人達、つまり地元の選挙場へ行き投票ができない人達には必要とされます。
【０１１４】
この新しいハイブリッド電子投票アプリケーションは物理的な郵便サービスの選挙投票郵便と「公式の」選挙の投票のためのモバイルデバイスとのセルタワーの三角測量の位置情報データの橋かけをします。したがって、本方法のさらなる利点は、モバイル・消費者デバイスへのアクセスと利便性を加え、再発明時代遅れの紙の投票プロセスを支援し、障害者に公式選挙に参加する新しいオプションを提供し、投票し、その票がカウントされる個人の消費者向けデバイスによって入力、保存、送信されたデータで身元を認証するとしたことを単純化するといったことがあげられます。
【０１１５】
加えて、本方法は、改善されたセルタワー三角測量の位置情報の認証と不在者投票のプロセスの身分のセキュリティのために消費者向けのモバイルスマートフォンデバイスの利便性をサポートしており、海外にいる軍人及び海外にいる人達、つまり地元の選挙場へ行き投票ができない人達には必要とされます。更に、株主の委託投票、教育委員会の選挙、大学生の学生役員選挙、芸能人や他のテレビ出演者を選択する人気投票などを含む他の非政府の投票プロセスをそのデバイスにより行うことができ、モバイルデバイスから受け取り、遠隔コンピュータサーバーで保存され、アクセスされた有権者登録データが含まれます。
【０１１６】
最近のアメリカンアイドルＲＴＭテレビのリアリティショーの投票は、６６万票を突破し、ほとんどはモバイルデバイスのテキストの投票からであり、米大統領選挙中に記録された票の合計数を超えました。現在ののテキストメッセージを基盤としたアメリカンアイドルＲＴＭの投票法でおいて、携帯電話のテキストメッセージシステムを使って実現したものであり、携帯電話で様々な問題に関して無限に投票することを可能にしたものである。この様なテキストを基盤とした投票は一人の個人や１つのデバイスによる複数投票は制御することができないので信用性にかけるということが証明されており、複数投票やその他の不正行為を防止するといった書類の検証証跡または信頼性のある認証システムがありません。セルタワー三角測量地のデータの座標と組み合わせて、その両方をより少ないセキュリティの投票アプリケーション（公式政府選挙ではないもの）への第三者のデータベースサーバーに送るというＳＭＳメッセージを使用したモバイルデバイスによる投票方法を具体化することができます。
【０１１７】
初めて、この方法はアメリカンアイドルＲＴＭテレビの競技者に投票するといった単純な投票を信頼性のある投票とします。これらの手順は、モバイル・消費者デバイスとインターネットの効率で達成されたが、紙の投票データ検証記録が「公式」の投票にとどまり、選挙プロセスの選挙当局や個々の投票管理局へ、返信郵便、投票葉書、または、投票紙の形式を使って返送します。それらは手書きの有権者の署名を有しており、監査の必要性に応じて、簡単に消費者デバイスからの電子的インターネット投票を確認、再集計、再認証することに役立つのです。
【０１１８】
現在の投票者の技術や管理解決法の背景の理解が、インターネットまたは他のコンピュータの実装手段によって、前の投票の慣行を改善する革新的方法へのサポートを助長するのです。
【０１１９】
本方法の技術的および管理的解決法は、すべての市民が、２００２のヘルプアメリカ投票法（ＨＡＶＡ）（４２  ＵＳＣ§１５４４１）の要件に則り、個々にそして内密に投票できるように設定されています。この技術方法は、投票のシステム（投票用紙での投票を含む）を全ての有権者に利用しやすく、選挙システムのプロセスの全てを障害を持つ個人に利用しやすくするための新しい方法の採用につながります。
【０１２０】
全ての米国公式有権登録と不在者投票用紙はオリジナルの登録者の署名が必要用件となっています。それが、有権者登録や不在者登録は物理的な形式上の投票者の署名が正式に完了するには必要である。その署名要件には２つの目的があります。１つ目は、署名が有権者の認定証であり（偽証の罰則に基づく）、その書式上の情報が有権者の知識と信念の限りにおいて真実であるとの認定証なのである。署名がその書式上の保存された有効な情報であるとの可能性を高めることを表す。２つ目は、署名が投票所での有権者の身元の確認方法となる（通常は事実後）。原則として（実際にはしばしば起こらないが）、有権者が実際に投票登録書を記入したか疑いがある場合には、有権者が投票所に登場したとき、その署名をファイルの署名と比べることができます。より一般的には、その署名が、不在投票や、郵便投票の処理や請願書を検証するために使用されます。
【０１２１】
投票者登録データベースは、多くの場合、登録有権者の記録に署名の画像を統合し、紙上に保存されたオリジナルの署名を格納します。筆跡鑑定の専門家―２つの署名が充分に類似しているかどうかを裁判官に求められる専門家―というのは、紙上から保存された署名が画像形式上のみで保存された同じ署名より法廷的に有効な情報であるかという経験を身に着けたものである。例えば、紙の登録用紙の圧痕（実際署名した筆圧を示す）が投票所で保存された紙上の署名と比べることができますーそういった比較は現在の技術では、有権者登録の署名が画像形式の場合は不可能なのです。
【０１２２】
署名要件のステップには、有権者登録の明白な欠点があり−それは有権登録を完全にオンラインで行うことを不可能にするものであるのです。有権者が完全にオンラインで登録することができるときは、いくつかの他の機関（一般的に運転免許センター）で、ファイルに紙のフォーム上にオリジナルの署名を持っているときなのです。（この場合、有権者の真実情報が電子的に提出されたものであり、その提出により認証するわけで、ファイル上の署名が、有権者の真実情報を認証してはくれません）。
【０１２３】
米国の大統領選挙の、米国政府の有権者の選挙登録のサムネイルの説明は、現在の選挙法で以下に説明します。
【０１２４】
一般的なルールとして、有権者は投票目的のために住宅の住所から推定される特定の地理的な管轄内で投票を登録します。市民は選挙事務所で投票を登録することができます。状態に応じて、市民にも軍事施設、生活支援施設、高校、専門学校、社会奉仕機関、老人ホーム、及びライブラリを含む多くの場所で、または有権者登録ドライブを介し、またはインターネット上からダウンロードする資料によって有権者登録資料を入手できます。さらに、ナショナル有権者登録法は、すべての州が、自動車、福祉サービスの部門、公的支援機関の部門でこのような資料を提供する必要があります。必要なフォームに記入し、必要な身分証明を提供することによって、どの州の市民でも郵送で投票に登録することができます。既に運転免許証または州で発行されたＩＤを持っている場合は、少なくとも３つの州（ワシントン州、カンザス州、及びアリゾナ州）では、市民がインターネットを通じて投票に登録することができます。有権者は、登録フォームを完了し、それが選挙事務所に戻されます。
【０１２５】
返された資料は認証メカニズムとして機能しているオリジナルの署名が伴い、有権者登録が将来的に確認されなければなりません。仮に有権者が運転免許センターで登録をした場合、関連情報がファイルの情報から抽出され、運転免許センター（ＤＭＶ）に提出され、それがＤＭＶのファイルにある署名が選挙場所で有権者であるとの認証デバイスの役割を果たします。海外の有権者、米軍とその扶養家族の有権者は、時々ＦＡＸで投票に登録することができます。
【０１２６】
記録上の選挙用郵便住所に基づき、有権者が投票所で投票するか、または不在投票やメール投票によって、または事前投票で、投票するか否という結果から投票区を推定します。投票区は、地方選挙の管轄権の細分化したものであり、有権者らは、一つの投票所にその投票区の投票をします。（時として、小さな投票区のと数は、１つの投票所で統合され、時には選挙当局が特定の投票区からのすべての有権者が郵送で投票することが必要な場合があります。）地方選挙当局は、その中で選挙の実施と管理を担当する行政主体であり、郡や自治体（市町村）であってもよい。したがって、郵便住所は、有権者の登録住所を確認し、不在投票、郵便投票又本明細書に記載の方法で、消費者デバイスによりインターネット投票などで行われた投票を許可するといった重要なデータの認証としての重要な役割を果たすのです。
【０１２７】
さらに本発明を詳細に理解するとの点においては、本発明の様々な実施形態を説明するときに本明細書中で使用される一般的な用語を定義することは有効であろう。
【０１２８】
「消費者デバイス」と「モバイル通信デバイス」（また、両方の携帯電話や携帯電話のデバイス、カメラ付き携帯電話、スマートフォン、ハンドヘルドデバイス、ネットブックやタブレットコンピュータ、パームトップ、または単にハンドヘルドとしても知られている）は、ミニチュアキーボードが付いている、電子ディスプレイ画面やカメラのレンズ、画像キャプチャセンサを有するポケットサイズのコンピューティングデバイスがであり、ハンドヘルドのカメラの画像キャプチャデバイスモバイルの大きいバージョンである。ポケットサイズのインターネット接続のワイヤレスデバイスや他のタブレットデバイスに限定されない。一般に、これらのデバイスは、ワイヤレスのＷｉＭＡＸ、Ｗｉ−Ｆｉまたはワイヤレスデータキャリア（例えば、&Ｔ．ＲＴＭ、Ｓｐｒｉｎｔ．ＲＴＭ、またはＶｅｒｉｚｏｎ．ＲＴＭ  ＡＴ）によってインターネットに接続されています。位置データをセンシング・推定・報告するためのＧＰＳまたはＧＰＳ受信機を有しており、データ入力や有権者が選択するためのタッチスクリーン、無線（ＯＴＡ）ソフトウェアのダウンロードとアプリケーション・プログラムの保存機能、画像キャプチャと処理および取り外し・交換可能であり、投票と有権者の関連投票ファイルを含む電子データを受信し、処理する通信機能を果たすデバイスに挿入するＳＩＭカードを含むセンサーとコンピュータ回路を有している。
【０１２９】
「耐久性に優れたコンピュータ可読媒体」は、耐久性のあるプロセスによって作成された情報記憶媒体である。具体的には、プロセスはハードウェア、ソフトウェア、保存メディア、技術と手順の組み合わせであり、保管機関に属する情報の管理、作成、保存、及び、の組み合わせ、、管理、作成、保存、取得、および削除するのに使用される。この場合、保管機関とは、州または他のビジネス、消費者、政府機関の投票プロセスと関連するデータ保管をする管理・行政機関である。
【０１３０】
それは次の基準をすべて満たしている場合、プロセスは、耐久性のあるプロセスでなければならない：（１）プロセスは、投票ルール、選挙規則または同様のデータ保持ポリシーやガイドラインで指定された必要なレコードの保持期間の情報を作成および保存が可能となる、（２）必要な際に、プロセスが次期プロセスに移行することができ、次期プロセスへの移行後にでも元のプロセスで使用可能なすべての情報を保持します（３）プロセスが容易にアクセス可能な方法で情報の整合性を維持し、それが取得可能であり、定着した通常またはルーチンセットの手順を通して入手可能なハードウェアおよびソフトウェアを使用して処理されることができ、保管機関の必要性に応じて決定されるように人間が読解可能形式で、それが正確に再現することが可能となる、（４）プロセスは復元性と可読性を検証する保存期間に則り、定期的にディザスターリカバリのバックアップができ、オリジナルの情報とは別の地理的場所に格納することができ、（５）プロセスが指定された、正確で、信頼性のある信頼できる、信頼性と清廉潔白な方法で、保存期間の情報を作成し、維持することが実証されており、（６）プロセスが必要な保存期間の終わりに到達した情報の除去を可能にし、（７）プロセスがこれらの基準を合理的な人へ準拠するよう記録されるということ。
【０１３１】
「郵便配達住所」は個人に郵便を郵送する郵便サービスが可能となる標準の形式である完全な住所であるが、それのみには限られないとする。米国では、下の例に見られるように、封筒の表紙にかかれる標準化された住所である。ＭＲ  Ｍ  ＭＵＲＲＡＹ、ＡＰＴ  Ｃ、５８００  ＳＰＲＩＮＧＦＩＥＬＤ  ＧＡＲＤＥＮＳ、ＣＩＲＳＰＲＩＮＧＦＩＥＬＤ  ＶＡ  ２２１６―１０５８。郵便物配信住所の他の適切な形態は、米国郵政公社、「出版２８、郵便住所標準、２００８年７月（ＰＳＮ  ７６１０−０３−０００−３６８８）」に詳述し、米国郵政公社のウェブサイトと同様の国際郵便のウェブサイトと発行万国郵便連合（ＵＰＵ）のウェブサイトのオンラインで更新され、郵便配達住所の基準と郵便サービスのメーリングリストおよびアドレッシングサービスの許容可能な形式の更新プログラムが説明されます。「郵便配達住所」は、地図または表に定義されている郵便番号または郵便領域に適用されていないことに注意すべきであり、特定の単一のＧＰＳの緯度と経度の座標との比較データ点と郵便サービスの住所指定の基準に従って郵便配送住所とが一致するように適用されるべきである。
【０１３２】
「郵政公社」は、メールの送信を処理する政府部門や機関が含まれ、それに限定されません。米国では、米国郵政公社Ｓｅｒｖｉｃｅ．ＲＴＭは、受信した独立した政府機関であり、個人（つまり、有権者）、企業や住宅の郵便サービスの住所に関連した物理的な道の住所に郵便物を受け取り、配送し、処理します。スイスでは、対応する政府部門はＳｗｉｓｓＰｏｓｔ．ＲＴＭになります。「郵便」は、正式に郵便物の輸配送から生じる義務を履行する責任として、国の国家当局によって指定された組織を含み、それのみに限定されない。同様に、「郵便配達住所」は、正式にその国の領土内で関連付けられている契約から生じる債務を履行する責任として、国の国家当局によって指定された組織であり、その権限は国家当局に対応することを含むが、限定されず、位置（ＧＰＳメールアドレスをデータ座標に対応）または登録されたホームのメール・アドレスまたはレコードの他の郵便サービスのアドレスに特定の個人（すなわち、有権者）宛でにフォーマットされたメールアドレスにメールを配信する。
【０１３３】
「ＳＩＭカード」は「ＳＩＭ」を参照し、加入者識別モジュール（ＳＩＭ）カードの略で、コンピュータベースのデバイスです。取り外し可能なＳＩＭカードは、モバイル通信デバイスを即座にアクティブにすることができ、交換、モバイルネットワークキャリアの介入なしにすべて、交換、または更新されます。ＳＩＭ自体は、実際の電話ではなく、ワイヤレスネットワークに接続されています。ＳＩＭカードの技術は、Ｊａｖａ（登録商標）Ｃａｒｄの技術（つまり、Ｊａｖａ（登録商標）２．１．１以上）およびインターネットやネットワークキャリアからの地上波コンテンツの更新やソフトウェアのダウンロード（例えば、Ｖｅｒｉｚｏｎ．ＲＴＭためＳＣＷＳ技術を使用して）利用することができます。また、ＳＩＭカードは指定された個々の有権者の住所に郵便物として送信されるか、あるいは既にデバイスにある取り外し可能なＳＩＭカードをＳＩＭと交換するために、消費者デバイスの所有者に指定された場所で提供されるか、または単一で使用することができる「ホットスワップ」で入手が可能です。投票を登録し、または関連投票のデータ入力の投票プロセスを指定れた個人のデバイス上で登録、投票、集計ができるようになります。
【０１３４】
「Ｊａｖａ（登録商標）Ｃａｒｄ」はスマートカードと非常に限られたメモリと処理能力を持つモバイル通信機器の他のデバイス上で実行されるアプリケーションの安全な環境を提供する技術であることを含まれています。複数のアプリケーションは、単一カード上に配置することができ、それがエンドユーザーに発行された後でも、新しいものは、それに追加することができます。Ｊａｖａ（登録商標）．ＲＴＭプログラミング言語で書かれたアプリケーションは、異なるベンダーのカードで安全に実行することができます。Ｊａｖａ（登録商標）Ｃａｒｄのプラットフォームは、モバイル通信デバイスに伴うワイヤレス通信事業者経由でＪａｖａ（登録商標）Ｃａｒｄの技術により開発されたロケーションベースと識別するセキュリティアプレットをダウンロードすることができ、Ｊａｖａ（登録商標）Ｃａｒｄテクノロジ対応のスマートカードや、別々にカードベンダーと基盤のハードウェア上で実行することができる。
【０１３５】
用語「ＣＭＯＳカメラの画像キャプチャ」または「ＣＭＯＳセンサー」は、レンズ、イメージセンサーと処理エンジンが収容されているユニットのカメラシステムが内蔵されて含まれるほとんどの消費者のモバイルデバイスに統合され、カメラの画像キャプチャと処理のためのセンサーです。イメージセンサは、ワイヤレスネットワークキャリアのインフラとインターネット接続を介してサーバーへの電子のデジタルデータファイルとして消費者のスマートフォンを使いワイヤレスで送信することができる電気信号に光学像を変換するデバイスです。それはデジタルカメラや他のモバイルイメージングデバイスで主に使用されています。イメージセンサは、通常、電荷結合素子（ＣＣＤ）または相補型金属酸化膜半導体（ＣＭＯＳ）アクティブピクセルセンサです。
【０１３６】
用語「アクティブピクセルセンサ」または（ＡＰＳ）は、ピクセルセンサー、光検出器、アクティブアンプを含み、各ピクセルのアレイを含む集積回路で構成されたイメージ・センサです。多くの種類のアクティブピクセルセンサのがあり、携帯電話のカメラや内部／外部に付いている消費者向けデバイスのＷｅｂカメラに最も一般的に使用されるＣＭＯＳ  ＡＰＳをも含まれている。そのようなイメージセンサは（したがって、ＣＭＯＳセンサとして知られています）ＣＭＯＳプロセスによって製造され、電荷結合素子（ＣＣＤ）イメージャセンサの代替として登場しました。
【０１３７】
本発明の様々な実施形態は上述してきたが、その例だけではなく、制限なくして提示されていることを理解すべきである。本発明の幅広さと範囲は、上述した例示的な実施形態のいずれかによって制限されるべきではありません。この文書は明らかに、または当業者には公知であろうと思われる技術を指し、そのような技術は、現在または将来的にいつでも、当業者に明らかなもの、または知られているを包含する。さらに、本発明は、図示例の基本設計概念や構成に限定されず、必要な機能は、代替設計概念とさまざまな構成を使用して実装することができます。この文書を読んだ後、当業者に明らかになるように、図示の実施形態とそれらのさまざまな選択肢は、図示の例に限定されることなく実装できます。当業者は他のものに取って替わる代替機能的で、論理的かつ物理的なパーティショニングと構成が本発明の所望の機能を実装するために活用できるかを理解するであろう。
【０１３８】
いずれの実施例から１つまたは複数の機能が、本発明の範囲から逸脱することなく、他の実施形態の一以上の機能と組み合わせることができる。
【図１】
2013504101.tif 000003
【図２】
2013504101.tif 000004
【図３】
2013504101.tif 000005
【図４】
2013504101.tif 000006
【図５】
2013504101.tif 000007
【図６】
2013504101.tif 000008
【図７】
2013504101.tif 000009
【図８】
2013504101.tif 000010
【図９】
2013504101.tif 000011
【図１０】
2013504101.tif 000012
【図１１】
2013504101.tif 000013
【国際調査報告】
2013504101.tif 000014
2013504101.tif 000015